(57)【要約】【課題】ＴＤＤをサポートする端末装置がより容易にＦＤＤのセルでの無線通信を行うことを可能にする。【解決手段】ＴＤＤのアップリンク／ダウンリンクコンフィギュレーションを示す情報を取得する取得部と、上記アップリンク／ダウンリンクコンフィギュレーションを端末装置に通知する制御部と、を備える装置が提供される。上記制御部は、上記アップリンク／ダウンリンクコンフィギュレーションに従って、上記端末装置とのＨＤ−ＦＤＤ（Half  Duplex  Frequency  Division  Duplex）での無線通信を制御する。【選択図】図１９
2016025512.tif 000002
【特許請求の範囲】
【請求項１】
ＴＤＤ（Time  Division  Duplex）のアップリンク／ダウンリンクコンフィギュレーションを示す情報を取得する取得部と、
前記アップリンク／ダウンリンクコンフィギュレーションを端末装置に通知する制御部と、
を備え、
前記制御部は、前記アップリンク／ダウンリンクコンフィギュレーションに従って、前記端末装置とのＨＤ−ＦＤＤ（Half  Duplex  Frequency  Division  Duplex）での無線通信を制御する、
装置。
【請求項２】
前記アップリンク／ダウンリンクコンフィギュレーションは、前記端末装置のために個別に選択されたアップリンク／ダウンリンクコンフィギュレーションである、請求項１に記載の装置。
【請求項３】
前記制御部は、前記端末装置への個別のシグナリングにより、前記アップリンク／ダウンリンクコンフィギュレーションを前記端末装置に通知する、請求項１に記載の装置。
【請求項４】
前記制御部は、前記アップリンク／ダウンリンクコンフィギュレーションを示すシステム情報の報知により、前記アップリンク／ダウンリンクコンフィギュレーションを前記端末装置に通知する、請求項１に記載の装置。
【請求項５】
前記制御部は、前記アップリンク／ダウンリンクコンフィギュレーションの１つのアップリンクサブフレーム及び１つのダウンサブフレームの間に各々位置する２つ以上の特定のサブフレームの無線リソースを、前記端末装置に割り当てず、前記２つ以上の特定のサブフレームと異なる他のサブフレームの無線リソースを、前記端末装置に割り当てる、請求項１に記載の装置。
【請求項６】
前記他のサブフレームは、前記アップリンク／ダウンリンクコンフィギュレーションのアップリンクサブフレーム又はダウンリンクサブフレームを含み、
前記他のサブフレームの前記無線リソースは、アップリンク帯域の無線リソースのうちの、前記アップリンク／ダウンリンクコンフィギュレーションのアップリンクサブフレームの無線リソース、又は、ダウンリンク帯域の無線リソースのうちの、前記アップリンク／ダウンリンクコンフィギュレーションのダウンリンクサブフレームの無線リソースを含む、
請求項５に記載の装置。
【請求項７】
前記２つ以上の特定のサブフレームは、１つ以上のスペシャルサブフレームと、１つのアップリンクサブフレームの直後且つ１つのダウンリンクサブフレームの直前に各々位置する１つ以上のサブフレームとを含む、請求項５に記載の装置。
【請求項８】
前記制御部は、前記アップリンク／ダウンリンクコンフィギュレーションに従って前記端末装置により送信されるアップリンクデータについてのＡＣＫ（Acknowledgement）／ＮＡＣＫ（Negative  Acknowledgement）が、前記アップリンク／ダウンリンクコンフィギュレーションのダウンリンクサブフレームで前記端末装置へ送信されるように、再送要求のプロセスを実行する、請求項１に記載の装置。
【請求項９】
前記制御部は、前記アップリンクデータについての前記ＡＣＫ／ＮＡＣＫが、前記アップリンク／ダウンリンクコンフィギュレーションのために予め定められたＡＣＫ／ＮＡＣＫ送信用のダウンリンクサブフレームで前記端末装置へ送信されるように、前記再送要求のプロセスを実行する、請求項８に記載の装置。
【請求項１０】
前記制御部は、前記アップリンク／ダウンリンクコンフィギュレーションのアップリンクサブフレームの無線リソースの前記端末装置への割当てを、前記アップリンク／ダウンリンクコンフィギュレーションのために予め定められたダウンリンクサブフレームで、前記端末装置に通知する、請求項１に記載の装置。
【請求項１１】
前記端末装置は、ＴＤＤのアップリンク／ダウンリンクコンフィギュレーションに従ってＨＤ−ＦＤＤでの無線通信を行うケイパビリティを有する装置である、請求項１に記載の装置。
【請求項１２】
前記端末装置は、キャリアアグリゲーションをサポートし、
前記アップリンク／ダウンリンクコンフィギュレーションは、前記端末装置のプライマリセルのアップリンク／ダウンリンクコンフィギュレーション、及び前記端末装置のセカンダリセルのアップリンク／ダウンリンクコンフィギュレーションうちの、少なくとも一方を含み、
前記プライマリセルのアップリンク／ダウンリンクコンフィギュレーションは、前記セカンダリセルの前記アップリンク／ダウンリンクコンフィギュレーションに従って送信されるダウンリンクデータについてのＡＣＫ／ＮＡＣＫが送信されるサブフレームを、アップリンクサブフレームとして定める、
請求項１に記載の装置。
【請求項１３】
前記プライマリセルの前記アップリンク／ダウンリンクコンフィギュレーションは、前記セカンダリセルの前記アップリンク／ダウンリンクコンフィギュレーションがアップリンクサブフレームとして定める全てのサブフレームを、アップリンクサブフレームとして定める、請求項１２に記載の装置。
【請求項１４】
前記プライマリセルの前記アップリンク／ダウンリンクコンフィギュレーションは、前記セカンダリセルの前記アップリンク／ダウンリンクコンフィギュレーションと同一である、請求項１２に記載の装置。
【請求項１５】
前記ＡＣＫ／ＮＡＣＫが送信される前記サブフレームは、前記セカンダリセルの前記アップリンク／ダウンリンクコンフィギュレーションのために予め定められている、請求項１２に記載の装置。
【請求項１６】
前記アップリンク／ダウンリンクコンフィギュレーションは、前記プライマリセル及び前記セカンダリセルの一方のアップリンク／ダウンリンクコンフィギュレーションであり、
前記プライマリセル及び前記セカンダリセルの他方は、ＴＤＤのコンポーネントキャリアである、
請求項１２に記載の装置。
【請求項１７】
前記アップリンク／ダウンリンクコンフィギュレーションは、前記プライマリセル及び前記セカンダリセルの一方のアップリンク／ダウンリンクコンフィギュレーションであり、
前記プライマリセル及び前記セカンダリセルの他方は、ＦＤＤのコンポーネントキャリアである、請求項１２に記載の装置。
【請求項１８】
前記アップリンク／ダウンリンクコンフィギュレーションは、前記プライマリセル及び前記セカンダリセルの一方のアップリンク／ダウンリンクコンフィギュレーションであり、
前記アップリンク／ダウンリンクコンフィギュレーションは、前記プライマリセル及び前記セカンダリセルの他方のアップリンク／ダウンリンクコンフィギュレーションに応じて選択されるアップリンク／ダウンリンクコンフィギュレーションである、
請求項１２に記載の装置。
【請求項１９】
前記アップリンク／ダウンリンクコンフィギュレーションは、前記プライマリセル及び前記セカンダリセルの一方のアップリンク／ダウンリンクコンフィギュレーションであり、
前記制御部は、前記アップリンク／ダウンリンクコンフィギュレーションに応じた、前記プライマリセル及び前記セカンダリセルの他方のアップリンク／ダウンリンクコンフィギュレーションの選択を制御する、
請求項１２に記載の装置。
【請求項２０】
基地局が端末装置に通知するＴＤＤのアップリンク／ダウンリンクコンフィギュレーションを示す情報を取得する取得部と、
前記アップリンク／ダウンリンクコンフィギュレーションに従って、前記端末装置による前記基地局とのＨＤ−ＦＤＤでの無線通信を制御する制御部と、
を備える装置。
【請求項２１】
前記制御部は、前記アップリンク／ダウンリンクコンフィギュレーションの１つのアップリンクサブフレーム及び１つのダウンサブフレームの間に各々位置する２つ以上の特定のサブフレームで、前記端末装置によるダウンリンク受信とアップリンク送信との切替えを行う、請求項２０に記載の装置。
【請求項２２】
前記制御部は、前記２つ以上の特定のサブフレームとは異なる、前記アップリンク／ダウンリンクコンフィギュレーションのダウンリンクサブフレームで、前記端末装置がダウンリンク帯域でのダウンリンク受信を行うように、前記端末装置による前記無線通信を制御する、請求項２１に記載の装置。
【請求項２３】
前記制御部は、前記２つ以上の特定のサブフレームとは異なる、前記アップリンク／ダウンリンクコンフィギュレーションのアップリンクサブフレームで、前記端末装置がアップリンク帯域でのアップリンク送信を行うように、前記端末装置による前記無線通信を制御する、請求項２１に記載の装置。
【請求項２４】
前記制御部は、前記端末装置が、ＴＤＤのアップリンク／ダウンリンクコンフィギュレーションに従ってＨＤ−ＦＤＤでの無線通信を行うケイパビリティを有する装置であることを、前記基地局に通知する、請求項２０に記載の装置。
【請求項２５】
前記制御部は、前記アップリンク／ダウンリンクコンフィギュレーションに従って前記基地局により送信されるダウンリンクデータについてのＡＣＫ／ＮＡＣＫが、前記アップリンク／ダウンリンクコンフィギュレーションのアップリンクサブフレームで前記基地局へ送信されるように、再送要求のプロセスを実行する、請求項２０に記載の装置。
【請求項２６】
前記端末装置は、ＴＤＤをサポートする端末装置である、請求項１に記載の装置。
【発明の詳細な説明】
【技術分野】
【０００１】
本開示は、装置に関する。
【背景技術】
【０００２】
ＬＴＥ(Long  Term  Evolution)は、複信方式として、周波数分割複信（Frequency  Division  Duplex：ＦＤＤ）及び時分割複信（Time  Division  Duplex：ＴＤＤ）をサポートしている。さらに、ＬＴＥは、ＦＤＤについて、全二重通信（full  duplex：ＦＤ）及び半二重通信（half  duplex：ＨＤ）の両方をサポートしている。即ち、ＬＴＥは、ＦＤ−ＦＤＤ及びＨＤ−ＦＤＤの両方をサポートしている。端末装置が、ＦＤの機能を有する場合には、送信及び受信の両方を同時に行うことができる。一方、端末装置が、ＨＤの機能のみを有する場合には、送信及び受信を同時には行わない。ＨＤ−ＦＤＤは、端末装置のデータレートを低減させるが、端末装置のコストを低減することが可能である。例えば、ＨＤ−ＦＤＤのみをサポートする端末装置は、デュプレクサを有しなくてもよく、複数の局部発信器を必要としない（即ち、１つの局部発信器のみを必要とする）。また、ＨＤ−ＦＤＤ動作（operation）を行う端末装置では、ＦＤ−ＦＤＤ動作を行う端末装置と比べて信号処理の量が少ない。
【０００３】
例えば、基地局は、ＨＤ−ＦＤＤ動作を行う端末装置にアップリンクの無線リソースとダウンリンクの無線リソースとの両方を同時に割当てないようにスケジューリングを行うことにより、ＨＤ−ＦＤＤ動作を可能する。ＨＤ−ＦＤＤについては、他にもいくつかの技術が提案されている。
【０００４】
例えば、非特許文献１及び２には、ＨＤ−ＦＤＤ動作を行う端末装置に必要なＨＡＲＱ（Hybrid  ARQ（Automatic  repeat-request））プロセスの数が提案されている。具体的には、アップリンクデータの送受信の４サブフレーム前でのアップリンクのスケジューリング情報の送受信、及び、データの送受信の４サブフレーム後でのＡＣＫ／ＮＡＣＫの送受信というＦＤＤの既存の前提の下で、アップリンク及びダウンリンクの各々の最大のＨＡＲＱプロセス数を３とすることが提案されている。
【先行技術文献】
【非特許文献】
【０００５】
【非特許文献１】3GPP  TSG  RAN  WG1  Meeting  #76bis,  Shenzhen,  China,  31st  March  -  4th  April  2014,  CATT,  “Number  of  HARQ  processes  for  low  complexity  HD-FDD  UEs”
【非特許文献２】3GPP  TSG  RAN  WG1  Meeting  #76bis,  Shenzhen,  P.R.  China,  31st  March  -  4th  April  2014,  Ericsson,  “Half  duplex  FDD  for  low  cost  MTC  UE”
【発明の概要】
【発明が解決しようとする課題】
【０００６】
しかし、ＴＤＤをサポートする端末装置は、ＴＤＤのセル内に位置する場合には無線通信を行うことができるが、例えば、ＦＤＤのセル内に位置する場合には無線通信を行うことが困難である。例えば、ＴＤＤをサポートする端末装置は、上述した非特許文献に開示されているようなＨＤ−ＦＤＤ動作を行うためには、局部発振器（local  oscillator）の周波数の切替えを行うだけではなく、ＴＤＤ動作とは大きく異なる上記ＨＤ−ＦＤＤ動作行う必要がある。そのため、上記端末装置の処理が複雑になり得る。
【０００７】
そこで、ＴＤＤをサポートする端末装置がより容易にＦＤＤのセルでの無線通信を行うことを可能にする仕組みが提供されることが望ましい。
【課題を解決するための手段】
【０００８】
本開示によれば、ＴＤＤのアップリンク／ダウンリンクコンフィギュレーションを示す情報を取得する取得部と、上記アップリンク／ダウンリンクコンフィギュレーションを端末装置に通知する制御部と、を備える装置が提供される。上記制御部は、上記アップリンク／ダウンリンクコンフィギュレーションに従って、上記端末装置とのＨＤ−ＦＤＤ（Half  Duplex  Frequency  Division  Duplex）での無線通信を制御する。
【０００９】
また、本開示によれば、基地局が端末装置に通知するＴＤＤのアップリンク／ダウンリンクコンフィギュレーションを示す情報を取得する取得部と、上記アップリンク／ダウンリンクコンフィギュレーションに従って、上記端末装置による上記基地局とのＨＤ−ＦＤＤでの無線通信を制御する制御部と、を備える装置が提供される。
【発明の効果】
【００１０】
以上説明したように本開示によれば、ＴＤＤをサポートする端末装置がより容易にＦＤＤのセルでの無線通信を行うことが可能になる。なお、上記の効果は必ずしも限定的なものではなく、上記効果とともに、又は上記効果に代えて、本明細書に示されたいずれかの効果、又は本明細書から把握され得る他の効果が奏されてもよい。
【図面の簡単な説明】
【００１１】
【図１】ＦＤＤでの無線通信の一例を説明するための説明図である。
【図２】ＴＤＤでの無線通信の一例を説明するための説明図である。
【図３】ＨＤ−ＦＤＤでの無線通信の一例を説明するための説明図である。
【図４】セルサーチからケイパビリティ情報の送信までのＨＤ−ＦＤＤ動作の概略的な流れの一例を示すフローチャートである。
【図５】ＦＤＤにおけるＰＳＳ及びＳＳＳの位置を説明するための説明図である。
【図６】ＨＤ−ＦＤＤでの無線通信の処理の概略的な流れの一例を示すフローチャートである。
【図７】ＦＤ−ＦＤＤでの無線通信の処理の概略的な流れの一例を示すフローチャートである。
【図８】セルサーチからケイパビリティ情報の送信までのＴＤＤ動作の概略的な流れの一例を示すフローチャートである。
【図９】ＴＤＤにおけるＰＳＳ及びＳＳＳの位置を説明するための説明図である。
【図１０】ＴＤＤでの無線通信の処理の概略的な流れの一例を示すフローチャートである。
【図１１】、ＴＤＤのＵＬ／ＤＬコンフィギュレーションを説明するための説明図である。
【図１２】ダウンリンクデータが送信されるサブフレームと、当該ダウンリンクデータについてのＡＣＫ／ＮＡＣＫが送信されるサブフレームとの例を説明するための説明図である。
【図１３】アップリンクデータが送信されるサブフレームと、当該アップリンクデータについてのＡＣＫ／ＮＡＣＫが送信されるサブフレームとの例を説明するための説明図である。
【図１４】キャリアアグリゲーションのケースでのＡＣＫ／ＮＡＣＫの送信の例を説明するための説明図である。
【図１５】本開示の実施形態に係る通信システムの概略的な構成の一例を示す説明図である。
【図１６】基地局がマクロセルの基地局であるケースの例を説明するための説明図である。
【図１７】ＦＤＤのＣＣ及びＴＤＤのＣＣを説明するための説明図である。
【図１８】同実施形態に係る基地局の構成の一例を示すブロック図である。
【図１９】端末装置への無線リソースの割当ての例を説明するための説明図である。
【図２０】ＵＬ／ＤＬコンフィギュレーションのために予め定められたＡＣＫ／ＮＡＣＫ送信用のサブフレームの第１の例を説明するための説明図である。
【図２１】ＵＬ／ＤＬコンフィギュレーションのために予め定められたＡＣＫ／ＮＡＣＫ送信用のサブフレームの第２の例を説明するための説明図である。
【図２２】ＵＬ／ＤＬコンフィギュレーションのために予め定められたＡＣＫ／ＮＡＣＫ送信用のサブフレームの第３の例を説明するための説明図である。
【図２３】同実施形態に係る端末装置の構成の一例を示すブロック図である。
【図２４】同実施形態に係る端末装置の無線通信部に含まれるハードウェアの一例を説明するための説明図である。
【図２５】同実施形態に係る基地局及び端末装置の処理の概略的な流れの一例を示すシーケンス図である。
【図２６】同実施形態に係る端末装置の第１の処理の概略的な流れの一例を示すフローチャートである。
【図２７】同実施形態に係る端末装置の第２の処理の概略的な流れの一例を示すフローチャートである。
【図２８】同実施形態の変形例に係るＡＣＫ／ＮＡＣＫの送信の第１の例を説明するための説明図である。
【図２９】同実施形態の変形例に係るＡＣＫ／ＮＡＣＫの送信の第２の例を説明するための説明図である。
【図３０】プライマリセル及びセカンダリセルの例を説明するための説明図である。
【図３１】第４の変形例におけるマクロセル及びスモールセルの例を説明するための説明図である。
【図３２】ｅＮＢの概略的な構成の第１の例を示すブロック図である。
【図３３】ｅＮＢの概略的な構成の第２の例を示すブロック図である。
【図３４】スマートフォンの概略的な構成の一例を示すブロック図である。
【図３５】カーナビゲーション装置の概略的な構成の一例を示すブロック図である。
【発明を実施するための形態】
【００１２】
以下に添付の図面を参照しながら、本開示の好適な実施の形態について詳細に説明する。なお、本明細書及び図面において、実質的に同一の機能構成を有する構成要素については、同一の符号を付することにより重複説明を省略する。
【００１３】
なお、説明は以下の順序で行うものとする。
１．はじめに
１．１．関連技術
１．３．技術的課題
２．通信システムの概略的な構成
３．各装置の構成
３．１．基地局の構成
３．２．端末装置の構成
４．処理の流れ
５．変形例
５．１．変形例に共通の特徴
５．２．第１の変形例
５．３．第２の変形例
５．４．第３の変形例
５．５．第４の変形例
５．６．第５の変形例
６．応用例
６．１．基地局に関する応用例
６．２．端末装置に関する応用例
７．まとめ
【００１４】
＜＜１．はじめに＞＞
まず、図１〜図１４を参照して、本開示の実施形態の関連技術及び技術的課題を説明する。
【００１５】
＜１．１．関連技術＞
図１〜図１１を参照して、本開示の実施形態の関連技術を説明する。
【００１６】
（ＦＤＤ／ＴＤＤ）
ＬＴＥは、複信方式として、周波数分割複信（ＦＤＤ）及び時分割複信（ＴＤＤ）をサポートしている。以下、図１及び図２を参照して、ＦＤＤでの無線通信及びＴＤＤでの無線通信の例を説明する。
【００１７】
図１は、ＦＤＤでの無線通信の一例を説明するための説明図である。図１を参照すると、ＦＤＤのアップリンク帯域Ｆ（ＵＬ）及びダウンリンク帯域Ｆ（ＤＬ）のペアが示されている。ＦＤＤの無線通信では、アップリンク帯域Ｆ（ＵＬ）はいずれの時間にもアップリンクに使用され、ダウンリンク帯域Ｆ（ＤＬ）はいずれの時間にもダウンリンクに使用される。
【００１８】
図２は、ＴＤＤでの無線通信の一例を説明するための説明図である。図２を参照すると、ＴＤＤの帯域Ｆが示されている。ＴＤＤの無線通信では、帯域Ｆは、ある時間にアップリンクに使用され、別の時間にダウンリンクに使用される。
【００１９】
（ＦＤＤとＴＤＤとの違い）
ＦＤＤのシステムとＴＤＤのシステムとの間にはいくつかの相違点がある。そのため、ＴＤＤをサポートする端末装置は、ＴＤＤのシステムにおいて動作するのと同様に、ＦＤＤのシステムにおいて動作することはできない。
【００２０】
第１に、ＦＤＤでは、アップリンクとダウンリンクとで使用される周波数帯域が異なるが、ＴＤＤでは、アップリンクとダウンリンクとで使用される周波数帯域が同一である。
【００２１】
第２に、ＦＤＤとＴＤＤとで、同期信号が送信される時間領域での位置が異なる。具体的には、ＦＤＤとＴＤＤとで、ＰＳＳ（Primary  Synchronization  Signal）及びＳＳＳ（Secondary  Synchronization  Signal）が送信されるシンボルが異なる。
【００２２】
第３に、ＦＤＤとＴＤＤとで、ＨＡＲＱ応答（Acknowledgement）のタイミング、及びアップリンクの無線リソースの割当てを端末装置に通知するタイミングが異なる。
【００２３】
第４に、ＴＤＤでは、アップリンクサブフレーム、ダウンリンクサブフレーム及びスペシャルサブフレームを定めるアップリンク／ダウンリンクコンフィギュレーション（以下、「ＵＬ／ＤＬコンフィギュレーション」と呼ぶ）が基地局により端末装置に通知される。そして、当該ＵＬ／ＤＬコンフィギュレーションに従って、アップリンクとダウンリンクとが切り替えられる。一方、ＦＤＤでは、アップリンク帯域ではいずれの時間にもアップリンクの無線通信が可能であり、ダウンリンク帯域ではいずれの時間にもダウンリンクの無線通信が可能である。
【００２４】
（ＦＤ／ＨＤ）
ＬＴＥは、ＦＤＤについて、全二重通信（ＦＤ）及び半二重通信（ＨＤ）の両方をサポートしている。即ち、ＬＴＥは、ＦＤ−ＦＤＤ及びＨＤ−ＦＤＤの両方をサポートしている。
【００２５】
端末装置が、ＦＤの機能を有する場合には、送信及び受信の両方を同時に行うことができる。図１を再び参照すると、例えば、ＦＤ−ＦＤＤ動作を行う端末装置は、アップリンク帯域Ｆ（ＵＬ）でのアップリンク送信と、ダウンリンク帯域Ｆ（ＤＬ）でのダウンリンク受信との両方を、同時に行うことができる。
【００２６】
一方、端末装置が、ＨＤの機能のみを有する場合には、送信及び受信を同時には行わない。以下、この点について、図３を参照して具体例を説明する。
【００２７】
図３は、ＨＤ−ＦＤＤでの無線通信の一例を説明するための説明図である。図３を参照すると、ＦＤＤのアップリンク帯域Ｆ（ＵＬ）及びダウンリンク帯域Ｆ（ＤＬ）のペアが示されている。ＨＤ−ＦＤＤ動作を行う端末装置は、アップリンク帯域Ｆ（ＵＬ）でのアップリンク送信と、ダウンリンク帯域Ｆ（ＤＬ）でのダウンリンク受信との両方を、同時に行わない。即ち、当該端末装置は、ある時間に上記アップリンク送信を行い、別の時間に上記ダウンリンク受信を行う。
【００２８】
ＨＤ−ＦＤＤは、端末装置のデータレートを低減させるが、端末装置のコストを低減することが可能である。例えば、ＨＤ−ＦＤＤのみをサポートする端末装置は、デュプレクサを有しなくてもよく、複数の局部発信器を必要としない（即ち、１つの局部発信器のみを必要とする）。また、ＨＤ−ＦＤＤ動作（operation）を行う端末装置では、ＦＤ−ＦＤＤ動作を行う端末装置と比べて信号処理の量が少ない。
【００２９】
（ケイパビリティ）
ＬＴＥでは、ＵＥ（User  Equipment）は、当該ＵＥがサポートする端末カテゴリ及び各種ケイパビリティなどを示すＵＥケイパビリティ情報メッセージ（UE  Capability  Information  message）をｅＮＢ（evolved  Node  B）へ送信する。
【００３０】
例えば、サポートバンドリスト（Supported  Band  List）では、ＵＥがサポートするＦＤＤ及びＴＤＤのオペレーティングバンドの番号が示され、さらに、オペレーティングバンドについて、ＵＥがＨＤのみをサポートしているか、又はＵＥがＦＤをサポートしているかが示される。
【００３１】
例えば、サポートバンドコンビネーション（Support  Band  Combinations）では、ダウンリンクとアップリンクとの各々について、キャリアアグリゲーションをサポートするバンドの組合せが示されている。
【００３２】
（ＨＤ−ＦＤＤ動作）
−セルサーチからケイパビリティ情報の送信までの動作
図４は、セルサーチからケイパビリティ情報の送信までのＨＤ−ＦＤＤ動作の概略的な流れの一例を示すフローチャートである。
【００３３】
ＵＥは、セルサーチの対象である周波数のリストを予め保持している。そのため、ＵＥは、当該リストに従ってダウンリンク信号を受信し、受信されるダウンリンク信号に含まれる同期信号を検出する（Ｓ７１）。当該同期信号は、ＰＳＳ（Primary  Synchronization  Signal）及びＳＳＳ（Secondary  Synchronization  Signal）である。ＵＥは、上記同期信号に基づいて、ダウンリンクでの同期を獲得し、セルＩＤを取得する（Ｓ７２）。
【００３４】
さらに、ＵＥは、システム情報を受信する（Ｓ７３）。当該システム情報は、ＭＩＢ（Master  Information  Block）及びＳＩＢ（System  Information  Block）である。ＵＥは、上記システム情報から、ランダムアクセスパラメータを取得する（Ｓ７４）。
【００３５】
そして、ＵＥは、ランダムアクセス手続きを行う（Ｓ７５）。
【００３６】
さらに、ＵＥは、ｅＮＢからの要求に応じて、ＵＥのケイパビリティを示すケイパビリティ情報をｅＮＢへ送信する（Ｓ７６）。例えば、当該ケイパビリティ情報は、ＵＥケイパビリティ情報メッセージである。ＵＥは、上記ケイパビリティ情報の送信により、ＵＥがＨＤのみをサポートしているか、又はＵＥがＦＤをサポートしているかを、ｅＮＢに通知する。そして、処理は終了する。
【００３７】
なお、当該基地局が使用するオペレーティングバンドについて端末装置がＨＤのみをサポートする場合には、基地局は、同一のサブフレームのアップリンクの無線リソースとダウンリンクの無線リソースとの両方が上記端末装置に割当てられないように、スケジューリングを行う。
【００３８】
上述したステップＳ７１について、同期信号の送信に使用される無線リソースは予め決まっている。そのため、ＵＥは、ＰＳＳ及びＳＳＳの位置（即ち、ＰＳＳ及びＳＳＳの送信に使用される無線リソース）を特定することにより、無線フレームの先頭のタイミングを認識することができる。
【００３９】
図５は、ＦＤＤにおけるＰＳＳ及びＳＳＳの位置を説明するための説明図である。図５を参照すると、１０ｍｓの無線フレームと、当該無線フレームに含まれる１０個のサブフレームとが示されている。各サブフレームは、２つのスロット（即ち、第１スロット及び第２スロット）を含み、各スロットは、７つのシンボルを含む。例えば、ＦＤＤでは、サブフレーム番号が０であるサブフレームの第１スロットにおいて、６番目のシンボルでＳＳＳが送信され、７番目のシンボルでＰＳＳが送信される。また、サブフレーム番号が５であるサブフレームの第１スロットにおいても、６番目のシンボルでＳＳＳが送信され、７番目のシンボルでＰＳＳが送信される。
【００４０】
−ＨＤ−ＦＤＤでの無線通信
図６は、ＨＤ−ＦＤＤでの無線通信の処理の概略的な流れの一例を示すフローチャートである。
【００４１】
ＵＥは、ダウンリンク信号を受信する（Ｓ８１）。当該ダウンリンク信号は、ＰＤＣＣＨ（Physical  Downlink  Control  Channel）で送信されるダウンリンク制御情報の信号を含む。
【００４２】
上記ダウンリンク制御情報の中にＵＥのためのアップリンクのスケジューリング情報がある場合には（Ｓ８２：ＹＥＳ）、ＵＥは、アップリンクの当該スケジューリング情報を記憶する（Ｓ８３）。
【００４３】
上記ダウンリンク制御情報の中にＵＥのためのダウンリンクのスケジューリング情報がある場合には（Ｓ８４：ＹＥＳ）、ＵＥは、ＵＥ宛のダウンリンクデータの受信処理を行う（Ｓ８５）。
【００４４】
３つ前のサブフレームでアップリンクのスケジューリング情報が送信された場合には（Ｓ８６：ＹＥＳ）、ＵＥは、アップリンク周波数を設定する（Ｓ８７）。なお、既にアップリンク周波数が設定されている場合には、ＵＥは、アップリンク周波数をあらためて設定しなくてもよい。そして、次のサブフレームが到来し（Ｓ８８）、ＵＥは、アップリンクデータを送信する（Ｓ８９）。そして、処理はステップＳ８６へ戻る。
【００４５】
一方、３つ前のサブフレームでアップリンクのスケジューリング情報が送信されなかった場合には（Ｓ８６：ＮＯ）、ＵＥは、ダウンリンク周波数を設定する（Ｓ９０）。そして、次のサブフレームが対象となり（Ｓ９１）、処理はステップＳ８１へ戻る。
【００４６】
（ＦＤ−ＦＤＤ動作）
−セルサーチからケイパビリティ情報の送信までの動作
セルサーチからケイパビリティ情報の送信までのＦＤ−ＦＤＤ動作についての説明は、上述したセルサーチからケイパビリティ情報の送信までのＨＤ−ＦＤＤ動作の説明と同じである。よって、ここでは重複する説明を省略する。
【００４７】
−ＦＤ−ＦＤＤでの無線通信
図７は、ＦＤ−ＦＤＤでの無線通信の処理の概略的な流れの一例を示すフローチャートである。
【００４８】
４つ前のサブフレームでアップリンクのスケジューリング情報が送信された場合には（Ｓ１００１：ＹＥＳ）、ＵＥは、アップリンクデータを送信する（Ｓ１００２）。
【００４９】
ＵＥは、ダウンリンク信号を受信する（Ｓ１００３）。当該ダウンリンク信号は、ＰＤＣＣＨで送信されるダウンリンク制御情報の信号を含む。
【００５０】
上記ダウンリンク制御情報の中にＵＥのためのアップリンクのスケジューリング情報がある場合には（Ｓ１００４：ＹＥＳ）、ＵＥは、アップリンクの当該スケジューリング情報を記憶する（Ｓ１００５）。
【００５１】
上記ダウンリンク制御情報の中にＵＥのためのダウンリンクのスケジューリング情報がある場合には（Ｓ１００６：ＹＥＳ）、ＵＥは、ＵＥ宛のダウンリンクデータの受信処理を行う（Ｓ１００７）。そして、次のサブフレームが対象となり（Ｓ１００８）、処理はステップＳ１００１へ戻る。
【００５２】
（ＴＤＤ動作）
−セルサーチからケイパビリティ情報の送信までの動作
図８は、セルサーチからケイパビリティ情報の送信までのＴＤＤ動作の概略的な流れの一例を示すフローチャートである。
【００５３】
ＵＥは、セルサーチの対象である周波数のリストを予め保持している。そのため、ＵＥは、当該リストに従ってダウンリンク信号を受信し、受信されるダウンリンク信号に含まれる同期信号を検出する（Ｓ１０２１）。当該同期信号は、ＰＳＳ及びＳＳＳである。ＵＥは、上記同期信号に基づいて、ダウンリンクでの同期を獲得し、セルＩＤを取得する（Ｓ１０２２）。
【００５４】
さらに、ＵＥは、システム情報を受信する（Ｓ１０２３）。当該システム情報は、ＭＩＢ及びＳＩＢである。ＵＥは、上記システム情報から、ランダムアクセスパラメータを取得する（Ｓ１０２４）。さらに、ＵＥは、上記システム情報から、ＴＤＤのＵＬ／ＤＬコンフィギュレーションを示す情報を取得する（Ｓ１０２５）。
【００５５】
そして、ＵＥは、ランダムアクセス手続きを行う（Ｓ１０２６）。
【００５６】
さらに、ＵＥは、ｅＮＢからの要求に応じて、ＵＥのケイパビリティを示すケイパビリティ情報をｅＮＢへ送信する（Ｓ１０２７）。例えば、当該ケイパビリティ情報は、ＵＥケイパビリティ情報メッセージである。そして、処理は終了する。
【００５７】
上述したステップＳ１０２１について、同期信号の送信に使用される無線リソースは予め決まっている。そのため、ＵＥは、ＰＳＳ及びＳＳＳの位置（即ち、ＰＳＳ及びＳＳＳの送信に使用される無線リソース）を特定することにより、無線フレームの先頭のタイミングを認識することができる。
【００５８】
図９は、ＴＤＤにおけるＰＳＳ及びＳＳＳの位置を説明するための説明図である。図９を参照すると、１０ｍｓの無線フレームと、当該無線フレームに含まれる１０個のサブフレームとが示されている。各サブフレームは、２つのスロット（即ち、第１スロット及び第２スロット）を含み、各スロットは、７つのシンボルを含む。例えば、ＴＤＤでは、サブフレーム番号が０であるサブフレームの第２スロットにおいて、７番目のシンボルでＳＳＳが送信され、サブフレーム番号が１であるサブフレームの第１スロットにおいて、３番目のシンボルでＰＳＳが送信される。また、サブフレーム番号が５であるサブフレームの第２スロットにおいて、７番目のシンボルでＳＳＳが送信され、サブフレーム番号が６であるサブフレームの第１スロットにおいて、３番目のシンボルでＰＳＳが送信される。
【００５９】
−ＴＤＤでの無線通信
図１０は、ＴＤＤでの無線通信の処理の概略的な流れの一例を示すフローチャートである。
【００６０】
サブフレームがアップリンクサブフレームではない（即ち、サブフレームがダウンリンクサブフレーム又はスペシャルサブフレームである）場合には（Ｓ１０４１：ＮＯ）、ＵＥは、ダウンリンク信号を受信する（Ｓ１０４２）。当該ダウンリンク信号は、ＰＤＣＣＨで送信されるダウンリンク制御情報の信号を含む。
【００６１】
上記ダウンリンク制御情報の中にＵＥのためのアップリンクのスケジューリング情報がある場合には（Ｓ１０４３：ＹＥＳ）、ＵＥは、アップリンクの当該スケジューリング情報を記憶する（Ｓ１０４４）。
【００６２】
上記ダウンリンク制御情報の中にＵＥのためのダウンリンクのスケジューリング情報がある場合には（Ｓ１０４５：ＹＥＳ）、ＵＥは、ＵＥ宛のダウンリンクデータの受信処理を行う（Ｓ１０４６）。そして、次のサブフレームが対象となり（Ｓ１０４７）、処理はステップＳ１０４１へ戻る。
【００６３】
サブフレームが、アップリンクサブフレームであり（Ｓ１０４１：ＹＥＳ）、且つ、ＵＥがアップリンクデータを送信するサブフレームであれば（Ｓ１０４８：ＹＥＳ）、ＵＥは、アップリンクデータを送信する（Ｓ１０４９）。そして、次のサブフレームが対象となり（Ｓ１０４７）、処理はステップＳ１０４１へ戻る。
【００６４】
（ＨＡＲＱ）
（ａ）ＦＤＤとＴＤＤとの違い
ＦＤＤでは、ダウンリンクデータについてのＨＡＲＱ応答（HARQ  Acknowledgement）は、当該ダウンリンクデータが送信されるサブフレームの４つ後のサブフレームでアップリンクにおいて送信される。また、アップリンクデータについてのＨＡＲＱ応答は、当該アップリンクデータが送信されるサブフレームの４つ後のサブフレームでダウンリンクにおいて送信される。
【００６５】
ＴＤＤでは、ＨＡＲＱ応答が送信されるサブフレームは、ＴＤＤのＵＬ／ＤＬコンフィギュレーションによって異なる。また、上記サブフレームは、ＴＤＤのＵＬ／ＤＬコンフィギュレーションのために予め定められている。ダウンリンクデータについてのＡＣＫ／ＮＡＣＫが送信されるサブフレームは、３ＧＰＰ  ＴＳ３６．２１３のＴａｂｌｅ  １０．１．３．１−１に定められている。アップリンクデータについてのＡＣＫ／ＮＡＣＫが送信されるサブフレームは、３ＧＰＰ  ＴＳ３６．２１３のＴａｂｌｅ  ９．１．２−１に定められている。
【００６６】
（ｂ）キャリアアグリゲーションのケース
キャリアアグリゲーションでは、ＵＥのセカンダリコンポーネントキャリア（Secondary  Component  Carrier：ＳＣＣ）（即ち、セカンダリセル）のアップリンク制御情報が、ＵＥのプライマリコンポーネントキャリア（Primary  Component  Carrier）（即ち、プライマリセル）のＰＵＣＣＨ（Physical  Uplink  Control  Channel）で送信される。そのため、ＳＣＣには、ＰＵＣＣＨは配置されない。
【００６７】
上記アップリンク制御情報は、ＨＡＲＱ応答を含む。即ち、ＳＣＣで送信されるダウンリンクについてのＡＣＫ／ＮＡＣＫは、ＰＣＣのＰＵＣＣＨで送信される。
【００６８】
なお、上記アップリンク制御情報は、スケジューリング要求及び／又はチャネル状態情報（Channel  State  Information：ＣＳＩ）なども含む。
【００６９】
（アップリンクのスケジューリング情報の送信）
ＦＤＤでは、アップリンクのスケジューリング情報は、ＵＥに割り当てられた無線リソースが位置するサブフレームの４つの前のサブフレームで、当該ＵＥへ送信される。
【００７０】
ＴＤＤでは、アップリンクのスケジューリング情報が送信されるサブフレームは、ＴＤＤのＵＬ／ＤＬコンフィギュレーションによって異なる。また、上記サブフレームは、ＴＤＤのＵＬ／ＤＬコンフィギュレーションのために予め定められている。アップリンクのスケジューリング情報が送信されるサブフレームは、３ＧＰＰ  ＴＳ３６．２１３のＴａｂｌｅ  ８−２に定められている。
【００７１】
（ＴＤＤのＵＬ／ＤＬコンフィギュレーション）
ＴＤＤのＵＬ／ＤＬコンフィギュレーションとして、７つのコンフィギュレーションが定められている。以下、図１１を参照して、当該７つのコンフィギュレーションを説明する。
【００７２】
図１１は、ＴＤＤのＵＬ／ＤＬコンフィギュレーションを説明するための説明図である。図１１を参照すると、７つのＵＬ／ＤＬコンフィギュレーション（コンフィギュレーション０〜６）が示されている。各ＵＬ／ＤＬコンフィギュレーションは、無線フレームに含まれる１０個のサブフレームのうちのアップリンクサブフレーム及びダウンリンクサブフレームを定める。さらに、各ＵＬ／ＤＬコンフィギュレーションは、上記１０個のサブフレームのうちのスペシャルサブフレームを定める。具体的には、サブフレーム番号が０及び５であるサブフレームは、ｅＮＢによる同期信号の送信のために、ダウンリンクサブフレームに固定されている。また、サブフレーム番号が２であるサブフレームは、アップリンクサブフレームに固定されている。そのため、いずれのコンフィギュレーションでも、サブフレーム番号が１であるサブフレームはスペシャルサブフレームである。
【００７３】
なお、スペシャルサブフレームは、ダウンリンク部分のＤｗＰＴＳ（Downlink  Pilot  Time  Slot）、アップリンク部分のＵｐＰＴＳ（Uplink  Pilot  Time  Slot）、及びＧＰ（Guard  Period）を含む。
【００７４】
＜１．２．技術的課題＞
次に、図１２〜図１４を参照して、本開示の実施形態の技術的課題を説明する。
【００７５】
（基本的な課題）
非特許文献「3GPP  TSG  RAN  WG1  Meeting  #76bis,  Shenzhen,  China,  31st  March  -  4th  April  2014,  CATT,  “Number  of  HARQ  processes  for  low  complexity  HD-FDD  UEs”」及び「3GPP  TSG  RAN  WG1  Meeting  #76bis,  Shenzhen,  P.R.  China,  31st  March  -  4th  April  2014,  Ericsson,  “Half  duplex  FDD  for  low  cost  MTC  UE”」では、ＨＤ−ＦＤＤ動作を行う端末装置に必要なＨＡＲＱプロセスの数が提案されている。具体的には、アップリンクデータの送受信の４サブフレーム前でのアップリンクのスケジューリング情報の送受信、及び、データの送受信の４サブフレーム後でのＡＣＫ／ＮＡＣＫの送受信というＦＤＤの既存の前提の下で、アップリンク及びダウンリンクの各々の最大のＨＡＲＱプロセス数を３とすることが提案されている。
【００７６】
上述した非特許文献に開示されている技術によれば、例えば、８個のサブフレームのうちの３個のサブフレームがダウンリンクに割り当てられ、当該８個のサブフレームのうちの他の３個のサブフレームがアップリンクに割り当てられる。このようなダウンリンク／アップリンクへのサブフレームの割当ては、実際には基地局のスケジューラによる無線リソース（例えば、リソースブロック）の割当てによって実現され得る。また、上記３個のサブフレーム（ダウンリンク）と上記他の３個のサブフレーム（アップリンク）との間のサブフレームは、送受信の切替えのために確保され、当該サブフレームの無線リソースは、上記切替えを行う端末装置には割り当てられない。以下、この点について、図１２及び図１３を参照して具体例を説明する。
【００７７】
図１２は、ダウンリンクデータが送信されるサブフレームと、当該ダウンリンクデータについてのＡＣＫ／ＮＡＣＫが送信されるサブフレームとの例を説明するための説明図である。図１２を参照すると、ダウンリンクデータがｅＮＢにより送信されるサブフレームと、当該ダウンリンクデータについてのＡＣＫ／ＮＡＣＫがＵＥにより送信されるサブフレームとが示されている。具体的には、連続する３個のサブフレームが、ＰＤＳＣＨでダウンリンクデータが送信されるサブフレームとして割当てられる。当該連続する３個のサブフレームの後の１個のサブフレームは、ＵＥにおけるダウンリンク受信からアップリンク送信への切替えのために確保される。当該１個のサブフレームの後の連続する３個のサブフレームが、ＰＵＣＣＨで上記ダウンリンクデータについてのＡＣＫ／ＮＡＣＫが送信されるサブフレームとして割り当てられる。即ち、ダウンリンクデータがｅＮＢにより送信されたサブフレームの４サブフレーム後のサブフレームで、当該ダウンリンクデータについてのＡＣＫ／ＮＡＣＫがＵＥにより送信され得る。さらに、当該連続する３個のサブフレームの後の１個のサブフレームは、ＵＥにおけるアップリンク送信からダウンリンク受信への切替えのために確保される。このように、８サブフレームのラウンドトリップタイムで、ダウンリンクデータ及びＡＣＫ／ＮＡＣＫが送信される。
【００７８】
図１３は、アップリンクデータが送信されるサブフレームと、当該アップリンクデータについてのＡＣＫ／ＮＡＣＫが送信されるサブフレームとの例を説明するための説明図である。図１３を参照すると、アップリンクデータがＵＥにより送信されるサブフレームと、当該アップリンクデータについてのＡＣＫ／ＮＡＣＫがｅＮＢにより送信されるサブフレームとが示されている。具体的には、連続する３個のサブフレームが、ＰＵＳＣＨでアップリンクデータが送信されるサブフレームとして割当てられる。当該連続する３個のサブフレームの後の１個のサブフレームは、ＵＥにおけるアップリンク送信からダウンリンク受信への切替えのために確保される。当該１個のサブフレームの後の連続する３個のサブフレームが、ＰＨＩＣＨ（Physical  Hybrid  ARQ  Indicator  Channel）で上記アップリンクデータについてのＡＣＫ／ＮＡＣＫが送信されるサブフレームとして割り当てられる。即ち、アップリンクデータがＵＥにより送信されたサブフレームの４サブフレーム後のサブフレームで、当該ダウンリンクデータについてのＡＣＫ／ＮＡＣＫがｅＮＢにより送信され得る。さらに、当該連続する３個のサブフレームの後の１個のサブフレームは、ＵＥにおけるダウンリンク受信からアップリンク送信への切替えのために確保される。このように、８サブフレームのラウンドトリップタイムで、アップリンクデータ及びＡＣＫ／ＮＡＣＫが送信される。
【００７９】
しかし、ＴＤＤをサポートする端末装置は、ＴＤＤのセル内に位置する場合には無線通信を行うことができるが、例えば、ＦＤＤのセル内に位置する場合には無線通信を行うことが困難である。例えば、ＴＤＤをサポートする端末装置は、上述した非特許文献に開示されているようなＨＤ−ＦＤＤ動作を行うためには、（局部発振器の）周波数の切替えを行うだけではなく、ＴＤＤ動作とは大きく異なる上記ＨＤ−ＦＤＤ動作行う必要がある。そのため、上記端末装置の処理が複雑になり得る。
【００８０】
そこで、本開示の実施形態は、ＴＤＤをサポートする端末装置がより容易にＦＤＤのセルでの無線通信を行うことを可能にする。
【００８１】
（他の課題）
（ａ）無線リソースの割当て
上述した非特許文献に開示されている技術によれば、ダウンリンクのサブフレーム及びアップリンクのサブフレームが固定される。例えば、トラフィックに応じて、ＨＤ−ＦＤＤ動作を行う端末装置に無線リソースを柔軟に割り当てることが困難になり得る。
【００８２】
そこで、本開示の実施形態は、例えば、ＨＤ−ＦＤＤ動作を行う端末装置に無線リソースをより柔軟に割り当てることを可能にする。
【００８３】
（ｂ）ＡＣＫ／ＮＡＣＫの送信
端末装置は、基地局により送信されるダウンリンクデータの受信後には、当該ダウンリンクデータについてのＡＣＫ／ＮＡＣＫを基地局へ送信する必要がある。また、端末装置は、基地局へのアップリンクデータの送信後には、当該アップリンクデータについてのＡＣＫ／ＮＡＣＫを基地局から受信する必要がある。
【００８４】
しかし、ＨＤ−ＦＤＤ動作を行う端末装置に無線リソースが自由に割り当てられ、且つ、例えばＦＤＤの既存の前提のように、データの送受信の４サブフレーム後に当該データについてのＡＣＫ／ＮＡＣＫが送信されると、ＡＣＫ／ＮＡＣＫの送受信が適切に行われない可能性がある。
【００８５】
そこで、本開示の実施形態は、例えば、ＨＤ−ＦＤＤ動作を行う端末装置及び基地局がＡＣＫ／ＮＡＣＫの送受信を適切に行うことをさらに可能にする。
【００８６】
（ｂ）キャリアアグリゲーションのケース
キャリアアグリゲーションでは、セカンダリセルで送信されるダウンリンクデータについてのＡＣＫ／ＮＡＣが、プライマリセルで送信される。そのため、端末装置は、セカンダリセルで送信されるダウンリンクデータの受信後には、当該ダウンリンクデータについてのＡＣＫ／ＮＡＣＫをプライマリセルで送信する必要がある。
【００８７】
しかし、セカンダリセルで送信されるダウンリンクデータについてのＡＣＫ／ＮＡＣＫが送信されるサブフレームで、端末装置がプライマリセルでダウンリンク受信を行う可能性がある。その結果、上記ダウンリンクデータについてのＡＣＫ／ＮＡＣＫが送信されないことが懸念される。以下、この点について、図１４を参照して具体例を説明する。
【００８８】
図１４は、キャリアアグリゲーションのケースでのＡＣＫ／ＮＡＣＫの送信の例を説明するための説明図である。図１４を参照すると、端末装置のプライマリセル（Ｐｃｅｌｌ）及びセカンダリセル（Ｓｃｅｌｌ）について、アップリンク及びダウンリンクの状況が示されている。この例では、セカンダリセルはＴＤＤのコンポーネントキャリア（Component  Carrier：ＣＣ）であり、プライマリセルはＦＤＤのＣＣである。例えば、セカンダリセルでは、３ＧＰＰにおいて定められるコンフィギュレーション３に従ってアップリンク及びダウンリンクの送受信が行われる。一方、プライマリセルでは、図１２及び図１３を参照して説明したように、８サブフレームのラウンドトリプタイムで、アップリンク及びダウンリンクの送受信が行われる。ここで、端末装置は、セカンダリセルにおいてコンフィギュレーション３に従って送信されるダウンリンクデータについてのＡＣＫ／ＮＡＣＫを、コンフィギュレーション３に対応するＡＣＫ／ＮＡＣＫ送信用のサブフレームで送信する。即ち、上記端末装置は、上記ＡＣＫ／ＮＡＣＫを、コンフィギュレーション３のアップリンクサブフレームで送信する。さらに、キャリアアグリゲーションのケースでは、上記端末装置は、上記ＡＣＫ／ＮＡＣＫを、プライマリセルで送信する必要がある。一例として、セカンダリセルにおいて、サブフレーム番号が９であるサブフレームで、ダウンリンクデータが上記端末装置へ送信される場合に、上記端末装置は、当該ダウンリンクデータについてのＡＣＫ／ＮＡＣＫを、サブフレーム番号が４である次のサブフレームで送信する。また、上記端末装置は、上記ＡＣＫ／ＮＡＣＫを、プライマリセルにおいて送信する必要がある。しかし、端末装置は、プライマリセルにおいて、サブフレーム番号が４である次のサブフレームで、ダウンリンク送信を行うので、上記ダウンリンクデータについてのＡＣＫ／ＮＡＣＫを送信することができない。
【００８９】
そこで、本開示の実施形態の変形例は、例えば、ＨＤ−ＦＤＤ動作を行う端末装置及び基地局がキャリアアグリゲーションのケースでもＡＣＫ／ＮＡＣＫの送受信を適切に行うことをさらに可能にする。
【００９０】
＜＜２．通信システムの概略的な構成＞＞
続いて、図１５を参照して、本開示の実施形態に係る通信システム１の概略的な構成を説明する。図１５は、本開示の実施形態に係る通信システム１の概略的な構成の一例を示す説明図である。図１５を参照すると、通信システム１は、基地局１００、端末装置２０及び端末装置２００を含む。通信システム１は、例えば、ＬＴＥ、ＬＴＥ−Ａｄｖａｎｃｅｄ、又はこれらに準ずる通信規格に準拠したシステムである。
【００９１】
（基地局１００）
基地局１００は、セル１０の基地局である。セル１０は、ＦＤＤのセルであり、基地局１００は、ＦＤＤでの無線通信を行う。例えば、基地局１００は、ＦＤＤのダウンリンク帯域でダウンリンク信号を送信し、ＦＤＤのアップリンク帯域でアップリンク信号を受信する。
【００９２】
例えば、基地局１００は、端末装置との無線通信を行う。当該端末装置は、端末装置２０及び端末装置２００を含む。
【００９３】
（端末装置２０）
端末装置２０は、基地局との無線通信を行う。
【００９４】
例えば、端末装置２０は、ＦＤＤをサポートし、ＦＤＤでの無線通信を行う。即ち、端末装置２０は、ＦＤＤのセルの基地局（例えば、基地局１００）との無線通信を行う。具体的には、例えば、端末装置２０は、ＦＤ−ＦＤＤをサポートし、ＦＤ−ＦＤＤでの無線通信を行う。即ち、端末装置２０は、ＦＤＤのダウンリンク帯域でのダウンリンク受信と、ＦＤＤのアップリンク帯域でのアップリンク送信との両方を、同時に行い得る。例えば、端末装置２０は、同一のサブフレームで、上記ダウンリンク受信及び上記アップリンク送信の両方を行い得る。
【００９５】
（端末装置２００）
端末装置２００は、基地局との無線通信を行う。
【００９６】
例えば、端末装置２００は、ＴＤＤをサポートし、ＴＤＤでの無線通信を行う。即ち、端末装置２００は、ＴＤＤのセルの基地局との無線通信を行う。即ち、端末装置２００は、ある時間に、ＴＤＤの周波数帯域でのアップリンク送信を行い、別の時間に、当該周波数帯域でのダウンリンク受信を行う。例えば、端末装置２００は、あるサブフレームで上記アップリンク送信を行い、別のサブフレームで上記ダウンリンク受信を行う。
【００９７】
さらに、例えば、端末装置２００は、ＦＤＤをサポートし、ＦＤＤでの無線通信を行う。即ち、端末装置２００は、ＦＤＤのセルの基地局（例えば、基地局１００）との無線通信を行う。具体的には、例えば、端末装置２００は、ＨＤ−ＦＤＤをサポートし、ＨＤ−ＦＤＤでの無線通信を行う。即ち、端末装置２００は、ある時間に、ＦＤＤのアップリンク帯域でのアップリンク送信を行い、別の時間に、ＦＤＤのダウンリンク帯域でのダウンリンク受信を行う。例えば、端末装置２００は、あるサブフレームで上記アップリンク送信を行い、別のサブフレームで上記ダウンリンク受信を行う。
【００９８】
なお、例えば、端末装置２００は、ＦＤ−ＦＤＤをサポートせず、ＦＤ−ＦＤＤでの無線通信を行わない。
【００９９】
（マクロセル及びスモールセル）
例えば、セル１０は、ＴＤＤのスモールセルが重なるマクロセルであり、基地局１００は、当該マクロセルの基地局である。以下、この点について図１６及び図１７を参照して具体例を説明する。
【０１００】
図１６は、基地局１００がマクロセルの基地局であるケースの例を説明するための説明図である。図１６を参照すると、基地局１００、基地局１００のセル１０、基地局３０、基地局３０のセル４０、端末装置２０、端末装置２５及び端末装置２００が示されている。セル１０は、ＦＤＤのマクロセルであり、基地局１００は、当該マクロセルの基地局である。また、セル４０は、セル１０（マクロセル）と重なるＴＤＤのスモールセルであり、基地局３０は、当該スモールセルの基地局である。例えば、端末装置２０及び端末装置２００は、基地局１００との無線通信を行う。端末装置２００、及びＴＤＤをサポートする端末装置２５は、基地局３０との無線通信を行う。
【０１０１】
図１７は、ＦＤＤのＣＣ及びＴＤＤのＣＣを説明するための説明図である。図１７を参照すると、ＦＤＤのアップリンクＣＣ及びダウンリンクＣＣのペアと、ＴＤＤのＣＣとが示されている。基地局１００は、上記アップリンクＣＣでのアップリンク受信を行い、上記ダウンリンクＣＣでのダウンリンク送信を行う。基地局３０は、ＴＤＤの上記ＣＣでのアップリンク受信及びダウンリンク送信を行う。
【０１０２】
（本開示の実施形態の特徴）
とりわけ本開示の実施形態では、基地局１００は、ＴＤＤのＵＬ／ＤＬコンフィギュレーションを端末装置に通知し、当該ＵＬ／ＤＬコンフィギュレーションに従って、端末装置２００とのＨＤ−ＦＤＤでの無線通信を行う。
【０１０３】
また、とりわけ本開示の実施形態では、端末装置２００は、基地局１００が端末装置２００に通知する上記ＵＬ／ＤＬコンフィギュレーションに従って、基地局１００とのＨＤ−ＦＤＤでの無線通信を行う。
【０１０４】
これにより、例えば、端末装置２００がより容易にＦＤＤのセルでの無線通信を行うことが可能になる。
【０１０５】
＜＜３．各装置の構成＞＞
続いて、図１８〜図２４を参照して、本開示の実施形態に係る基地局１００及び端末装置２００の構成の例を説明する。
【０１０６】
＜３．１．基地局の構成＞＞
図１８〜図２２を参照して、本開示の実施形態に係る基地局１００の構成の一例を説明する。図１８は、本開示の実施形態に係る基地局１００の構成の一例を示すブロック図である。図１８を参照すると、基地局１００は、アンテナ部１１０、無線通信部１２０、ネットワーク通信部１３０、記憶部１４０及び処理部１５０を備える。
【０１０７】
（アンテナ部１１０）
アンテナ部１１０は、無線通信部１２０により出力される信号を電波として空間に放射する。また、アンテナ部１１０は、空間の電波を信号に変換し、当該信号を無線通信部１２０へ出力する。
【０１０８】
（無線通信部１２０）
無線通信部１２０は、信号を送受信する。例えば、無線通信部１２０は、端末装置へのダウンリンク信号を送信し、端末装置からのアップリンク信号を受信する。
【０１０９】
（ネットワーク通信部１３０）
ネットワーク通信部１３０は、情報を送受信する。例えば、ネットワーク通信部１３０は、他のノードへの情報を送信し、他のノードからの情報を受信する。例えば、上記他のノードは、コアネットワークノード及び他の基地局を含む。
【０１１０】
（記憶部１４０）
記憶部１４０は、基地局１００の動作のためのプログラム及びデータを一時的に又は恒久的に記憶する。
【０１１１】
（処理部１５０）
処理部１５０は、基地局１００の様々な機能を提供する。処理部１５０は、選択部１５１、情報取得部１５３及び制御部１５５を含む。なお、処理部１５０は、これらの構成要素以外の他の構成要素をさらに含み得る。即ち、処理部１５０は、これらの構成要素の動作以外の動作も行い得る。
【０１１２】
（選択部１５１）
選択部１５１は、ＴＤＤのＵＬ／ＤＬコンフィギュレーションを選択する。
【０１１３】
（ａ）複数のＵＬ／ＤＬコンフィギュレーションの中からの選択
例えば、選択部１５１は、複数のＵＬ／ＤＬコンフィギュレーションの中からＵＬ／ＤＬコンフィギュレーションを選択する。
【０１１４】
例えば、選択部１５１は、図１１に示されるコンフィギュレーション０〜６の中から、ＵＬ／ＤＬコンフィギュレーションを選択する。あるいは、選択部１５１は、図１１に示されるコンフィギュレーション０〜６のうちの一部（例えば、コンフィギュレーション３〜５）の中から、ＵＬ／ＤＬコンフィギュレーションを選択してもよい。
【０１１５】
（ｂ）端末装置ごとの選択
選択部１５１は、端末装置２００のためにＵＬ／ＤＬコンフィギュレーションを個別に選択する。換言すると、選択部１５１は、端末装置２００ごとにＵＬ／ＤＬコンフィギュレーションを選択する。
【０１１６】
例えば、選択部１５１は、端末装置２００のために、端末装置２００のトラフィック特性に基づいてＵＬ／ＤＬコンフィギュレーションを選択する。具体的には、例えば、選択部１５１は、端末装置２００のために、端末装置２００のトラフィック特性に基づいて、複数のＵＬ／ＤＬコンフィギュレーションの中からＵＬ／ＤＬコンフィギュレーションを選択する。なお、上記トラフィック特性は、例えば、過去若しくは現在のトラフィック量、又は将来の想定されるトラフィック量などである。
【０１１７】
これにより、例えば、端末装置２００ごとに無線リソースをより柔軟に割り当てることが可能になる。例えば、端末装置２００のトラフィックに応じて柔軟に無線リソースが割り当てられ得る。
【０１１８】
例えば、上記ＵＬ／ＤＬコンフィギュレーションが選択される端末装置２００は、ＴＤＤのＵＬ／ＤＬコンフィギュレーションに従ってＨＤ−ＦＤＤでの無線通信を行うケイパビリティを有する装置である。例えば、端末装置２００は、端末装置２００のケイパビリティを示すケイパビリティ情報を基地局１００へ送信する。当該ケイパビリティ情報は、端末装置２００が上記ケイパビリティを有する装置であることを示す。一例として、端末装置２００は、ＵＥケイパビリティ情報メッセージを基地局１００へ送信する。そして、選択部１５１は、上記ケイパビリティ情報を取得し、上記ケイパビリティを有する端末装置２００のために、上記ＵＬ／ＤＬコンフィギュレーションを選択する。これにより、例えば、基地局１００は、上記ＵＬ／ＤＬコンフィギュレーションに従った無線通信を行うべき端末装置を特定することが可能になる。
【０１１９】
なお、選択部１５１は、端末装置２００ごとにＵＬ／ＤＬコンフィギュレーションを選択する代わりに、端末装置２００間で共通のＵＬ／ＤＬコンフィギュレーションを選択してもよい。一例として、上記ＵＬ／ＤＬコンフィギュレーションは、端末装置２００によらず、図１１に示されるコンフィギュレーション３であってもよい。
【０１２０】
（情報取得部１５３）
情報取得部１５３は、ＴＤＤのＵＬ／ＤＬコンフィギュレーションを示す情報（以下、「コンフィギュレーション情報」と呼ぶ）を取得する
【０１２１】
（ａ）ＵＬ／ＤＬコンフィギュレーション
例えば、上記ＵＬ／ＤＬコンフィギュレーションは、選択部１５１により選択されるＵＬ／ＤＬコンフィギュレーションである。即ち、情報取得部１５３は、選択される上記ＵＬ／ＤＬコンフィギュレーションを示す情報を取得する。
【０１２２】
（ｂ）コンフィギュレーション情報
例えば、上記コンフィギュレーション情報は、上記ＵＬ／ＤＬコンフィギュレーションの識別情報である。具体的には、例えば、複数のＵＬ／ＤＬコンフィギュレーションの各々に識別情報が与えられ、上記コンフィギュレーション情報は、上記ＵＬ／ＤＬコンフィギュレーションに与えられた識別情報（即ち、上記ＵＬ／ＤＬコンフィギュレーションの識別情報）である。一例として、上記コンフィギュレーション情報は、コンフィギュレーション番号である。
【０１２３】
（制御部１５５）
（ａ）ＵＬ／ＤＬコンフィギュレーションの通知
制御部１５５は、上記ＵＬ／ＤＬコンフィギュレーションを端末装置２００に通知する。
【０１２４】
（ａ−１）第１の例：個別のシグナリング
第１の例として、制御部１５５は、端末装置２００への個別のシグナリングにより、上記ＵＬ／ＤＬコンフィギュレーションを端末装置２００に通知する。
【０１２５】
例えば、上記個別のシグナリングは、ＲＲＣ（Radio  Resource  Control）シグナリングである。一例として、上記個別のシグナリングは、接続確立手続きの中でのシグナリングである。
【０１２６】
例えば、制御部１５５は、上記コンフィギュレーション情報（即ち、上記ＵＬ／ＤＬコンフィギュレーションを示す情報）を含むメッセージを生成し、アンテナ部１１０及び無線通信部１２０を介して当該メッセージを端末装置２００へ送信する。
【０１２７】
シグナリングによるＵＬ／ＤＬコンフィギュレーションの通知により、例えば、端末装置２００ごとに選択されるＵＬ／ＤＬコンフィギュレーションを端末装置２００に通知することが可能になる。
【０１２８】
なお、第１の例では、上記ＵＬ／ＤＬコンフィギュレーションは、例えば、端末装置２００のために個別に選択されたＵＬ／ＤＬコンフィギュレーション（即ち、端末装置２００ごとに選択されるＵＬ／ＤＬコンフィギュレーション）であってもよく、端末装置２００間で共通のＵＬ／ＤＬコンフィギュレーションであってもよい。
【０１２９】
（ａ−２）第２の例：システム情報の報知
第２の例として、制御部１５５は、上記ＵＬ／ＤＬコンフィギュレーションを示すシステム情報の報知により、上記ＵＬ／ＤＬコンフィギュレーションを端末装置２００に通知する。
【０１３０】
例えば、制御部１５５は、上記コンフィギュレーション情報を含むシステム情報を生成し、アンテナ部１１０及び無線通信部１２０を介して上記システム情報を報知する。
【０１３１】
なお、第２の例では、上記ＵＬ／ＤＬコンフィギュレーションは、端末装置２００間で共通のＵＬ／ＤＬコンフィギュレーションである。
【０１３２】
これにより、例えば、既存の仕組みでＵＬ／ＤＬコンフィギュレーションを端末装置２００に通知することが可能になる。また、端末装置２００は、セル１０においてＴＤＤのＵＬ／ＤＬコンフィギュレーションに従ってＨＤ−ＦＤＤでの無線通信を行うことができることを知り得る。
【０１３３】
以上のように、基地局１００（制御部１５５）は、上記ＵＬ／ＤＬコンフィギュレーションを端末装置２００に通知する。これにより、例えば、端末装置２００に無線リソースをより柔軟に割り当てることが可能になる。より具体的には、例えば、基地局１００は、ＵＬ／ＤＬコンフィギュレーションを柔軟に選択し、当該ＵＬ／ＤＬコンフィギュレーションを端末装置２００と共有することができる。そのため、柔軟に選択されたＵＬ／ＤＬコンフィギュレーションに従って無線リソースが端末装置２００に割り当てられる。即ち、無線リソースが端末装置２００に柔軟に割当てられ得る。
【０１３４】
（ｂ）ＵＬ／ＤＬコンフィギュレーションに従った無線通信の制御
例えば、制御部１５５は、上記ＵＬ／ＤＬコンフィギュレーションに従って、端末装置２００とのＨＤ−ＦＤＤでの無線通信を制御する。
【０１３５】
これにより、例えば、端末装置２００がより容易にＦＤＤのセルでの無線通信を行うことが可能になる。より具体的には、例えば、ＴＤＤのＵＬ／ＤＬコンフィギュレーションに従ったＨＤ−ＦＤＤ動作は、ＴＤＤ動作と多くの部分で重複する。そのため、端末装置２００の処理が複雑になることが回避され得る。
【０１３６】
また、ＴＤＤのＵＬ／ＤＬコンフィギュレーションでは、物理報知チャネル（Physical  Broadcast  Channel：ＰＢＣＨ）が配置されるサブフレーム（即ち、サブフレーム番号が０であるサブフレーム）が、必ずダウンリンクサブフレームである。そのため、端末装置２００は、ＰＢＣＨで送信されるシステム情報（即ち、ＭＩＢ）を確実に受信することができる。
【０１３７】
（ｂ−１）無線リソースの割当て（スケジューリング）
例えば、制御部１５５は、上記ＵＬ／ＤＬコンフィギュレーションに従って、無線リソースを端末装置２００に割り当てる。当該無線リソースは、アップリンク帯域の無線リソース及びダウンリンク帯域の無線リソースを含む。
【０１３８】
−特定のサブフレーム
例えば、制御部１５５は、上記ＵＬ／ＤＬコンフィギュレーションの１つのアップリンクサブフレーム及び１つのダウンサブフレームの間に各々位置する２つ以上の特定のサブフレームの無線リソースを、端末装置２００に割り当てない。
【０１３９】
例えば、上記２つ以上の特定のサブフレームは、１つ以上のスペシャルサブフレームと、１つのアップリンクサブフレームの直後且つ１つのダウンリンクサブフレームの直前に各々位置する１つ以上のサブフレーム（アップリンクサブフレーム又はダウンリンクサブフレーム）とを含む。以下、この点について図１９を参照して具体例を説明する。
【０１４０】
図１９は、端末装置２００への無線リソースの割当ての例を説明するための説明図である。図１９を参照すると、３ＧＰＰにおいて定められるコンフィギュレーション３〜５が示されている。例えば、上記ＵＬ／ＤＬコンフィギュレーションがコンフィギュレーション３である場合に、制御部１５５は、サブフレーム番号が１であるスペシャルサブフレームの無線リソース、及びサブフレーム番号が５であるダウンリンクサブフレームの無線リソースを、端末装置２００に割り当てない。例えば、上記ＵＬ／ＤＬコンフィギュレーションがコンフィギュレーション４である場合に、制御部１５５は、サブフレーム番号が１であるスペシャルサブフレームの無線リソース、及びサブフレーム番号が４であるダウンリンクサブフレームの無線リソースを、端末装置２００に割り当てない。例えば、上記ＵＬ／ＤＬコンフィギュレーションがコンフィギュレーション５である場合に、制御部１５５は、サブフレーム番号が１であるスペシャルサブフレームの無線リソース、及びサブフレーム番号が３であるダウンリンクサブフレームの無線リソースを、端末装置２００に割り当てない。
【０１４１】
これにより、例えば、端末装置２００は、アップリンク送信とダウンリンク受信との切替えを行うことが可能になる。
【０１４２】
−他のサブフレーム
例えば、制御部１５５は、上記２つ以上の特定のサブフレームと異なる他のサブフレームの無線リソースを端末装置２００に割り当てる。
【０１４３】
例えば、上記他のサブフレームは、上記ＵＬ／ＤＬコンフィギュレーションのアップリンクサブフレーム及び／又はダウンサブフレームを含む。
【０１４４】
−−アップリンクサブフレーム
例えば、上記他のサブフレームの上記無線リソースは、アップリンク帯域の無線リソースのうちの、上記ＵＬ／ＤＬコンフィギュレーションのアップリンクサブフレームの無線リソースを含む。即ち、制御部１５５は、アップリンク帯域の無線リソースのうちの、上記ＵＬ／ＤＬコンフィギュレーションのアップリンクサブフレームの無線リソースを、端末装置２００に割り当てる。
【０１４５】
例えば、割り当てられる上記無線リソースは、リソースブロックである。より具体的には、例えば、割り当てられる上記無線リソースは、物理アップリンク共有チャネル（Physical  Uplink  Shared  Channel：ＰＵＳＣＨ）のリソースブロックである。
【０１４６】
−−ダウンリンクサブフレーム
例えば、上記他のサブフレームの上記無線リソースは、ダウンリンク帯域の無線リソースのうちの、上記ＵＬ／ＤＬコンフィギュレーションのダウンリンクサブフレームの無線リソースを含む。即ち、制御部１５５は、ダウンリンク帯域の無線リソースのうちの、上記ＵＬ／ＤＬコンフィギュレーションのダウンリンクサブフレームの無線リソースを、端末装置２００に割り当てる。
【０１４７】
例えば、割り当てられる上記無線リソースは、リソースブロックである。より具体的には、例えば、割り当てられる上記無線リソースは、物理ダウンリンク共有チャネル（Physical  Downlink  Shared  Channel：ＰＤＳＣＨ）のリソースブロックである。
【０１４８】
（ｂ−２）無線リソースの割当ての通知
例えば、制御部１５５は、無線リソースの端末装置２００への割当てを、端末装置２００に通知する。
【０１４９】
具体的には、例えば、制御部１５５は、無線リソースの端末装置２００への割当てを示すスケジューリング情報を生成し、当該スケジューリング情報の信号を制御チャネル（例えば、物理ダウンリンク制御チャネル（Physical  Downlink  Control  Channel））にマッピングする。
【０１５０】
なお、制御部１５５は、上記ＵＬ／ＤＬコンフィギュレーションのアップリンクサブフレームの無線リソースの端末装置２００への割当てを、上記ＵＬ／ＤＬコンフィギュレーションのために予め定められたダウンリンクサブフレームで、端末装置２００に通知する。これにより、例えば、端末装置２００はＴＤＤの場合と同様に、アップリンクのスケジューリング情報を得ることが可能になる。上記ダウンリンクサブフレームは、例えば、３ＧＰＰ  ＴＳ３６．２１３のＴａｂｌｅ  ８−２に定められている。
【０１５１】
（ｂ−３）再送要求プロセスの実行
例えば、制御部１５５は、上記ＵＬ／ＤＬコンフィギュレーションに従って端末装置２００により送信されるアップリンクデータについてのＡＣＫ／ＮＡＣＫが上記ＵＬ／ＤＬコンフィギュレーションのダウンリンクサブフレームで端末装置２００へ送信されるように、再送要求のプロセスを実行する。これにより、例えば、端末装置２００が、アップリンクデータについてのＡＣＫ／ＮＡＣＫを受信することが可能になる。
【０１５２】
例えば、上記再送要求プロセスは、ＨＡＲＱプロセスである。
【０１５３】
−第１の例：コンフィギュレーションのために予め定められたサブフレーム
第１の例として、制御部１５５は、上記アップリンクデータについての上記ＡＣＫ／ＮＡＣＫが、上記ＵＬ／ＤＬコンフィギュレーションのために予め定められたＡＣＫ／ＮＡＣＫ送信用のダウンリンクサブフレームで端末装置２００へ送信されるように、上記再送要求のプロセスを実行する。以下、この点について、図２０〜２２を参照して具体例を説明する。
【０１５４】
−−コンフィギュレーション３
図２０は、ＵＬ／ＤＬコンフィギュレーションのために予め定められたＡＣＫ／ＮＡＣＫ送信用のサブフレームの第１の例を説明するための説明図である。この例では、端末装置２００は、ＴＤＤのＵＬ／ＤＬコンフィギュレーションのうちのコンフィギュレーション３に従って、ＨＤ−ＦＤＤでの無線通信を行う。この場合に、基地局１００及び端末装置２００は、コンフィギュレーション３のために予め定められたＡＣＫ／ＮＡＣＫの送信用のサブフレームで、ＡＣＫ／ＮＡＣＫの送受信を行う。
【０１５５】
具体的には、サブフレーム番号が２であるアップリンクサブフレームで送信されるアップリンクデータについてのＡＣＫ／ＮＡＣＫは、サブフレーム番号が８であるダウンリンクサブフレームで送信される。サブフレーム番号が３であるアップリンクサブフレームで送信されるアップリンクデータについてのＡＣＫ／ＮＡＣＫは、サブフレーム番号が９であるダウンリンクサブフレームで送信される。サブフレーム番号が４であるアップリンクサブフレームで送信されるアップリンクデータについてのＡＣＫ／ＮＡＣＫは、サブフレーム番号が０であるダウンリンクサブフレームで送信される。
【０１５６】
具体的には、サブフレーム番号が６であるダウンリンクサブフレームで送信されるダウンリンクデータについてのＡＣＫ／ＮＡＣＫは、サブフレーム番号が２であるアップリンクサブフレームで送信される。サブフレーム番号が７、８であるダウンリンクサブフレームで送信されるダウンリンクデータについてのＡＣＫ／ＮＡＣＫは、サブフレーム番号が３であるアップリンクサブフレームで送信される。サブフレーム番号が９、０であるダウンリンクサブフレームで送信されるダウンリンクデータについてのＡＣＫ／ＮＡＣＫは、サブフレーム番号が４であるアップリンクサブフレームで送信される。
【０１５７】
−−コンフィギュレーション４
図２１は、ＵＬ／ＤＬコンフィギュレーションのために予め定められたＡＣＫ／ＮＡＣＫ送信用のサブフレームの第２の例を説明するための説明図である。この例では、端末装置２００は、ＴＤＤのＵＬ／ＤＬコンフィギュレーションのうちのコンフィギュレーション４に従って、ＨＤ−ＦＤＤでの無線通信を行う。この場合に、基地局１００及び端末装置２００は、コンフィギュレーション４のために予め定められたＡＣＫ／ＮＡＣＫの送信用のサブフレームで、ＡＣＫ／ＮＡＣＫの送受信を行う。
【０１５８】
具体的には、サブフレーム番号が２であるアップリンクサブフレームで送信されるアップリンクデータについてのＡＣＫ／ＮＡＣＫは、サブフレーム番号が８であるダウンリンクサブフレームで送信される。サブフレーム番号が３であるアップリンクサブフレームで送信されるアップリンクデータについてのＡＣＫ／ＮＡＣＫは、サブフレーム番号が９であるダウンリンクサブフレームで送信される。
【０１５９】
具体的には、サブフレーム番号が０、５であるダウンリンクサブフレームで送信されるダウンリンクデータについてのＡＣＫ／ＮＡＣＫは、サブフレーム番号が２であるアップリンクサブフレームで送信される。サブフレーム番号が６〜９であるダウンリンクサブフレームで送信されるダウンリンクデータについてのＡＣＫ／ＮＡＣＫは、サブフレーム番号が３であるアップリンクサブフレームで送信される。
【０１６０】
−−コンフィギュレーション５
図２２は、ＵＬ／ＤＬコンフィギュレーションのために予め定められたＡＣＫ／ＮＡＣＫ送信用のサブフレームの第３の例を説明するための説明図である。この例では、端末装置２００は、ＴＤＤのＵＬ／ＤＬコンフィギュレーションのうちのコンフィギュレーション５に従って、ＨＤ−ＦＤＤでの無線通信を行う。この場合に、基地局１００及び端末装置２００は、コンフィギュレーション５のために予め定められたＡＣＫ／ＮＡＣＫの送信用のサブフレームで、ＡＣＫ／ＮＡＣＫの送受信を行う。
【０１６１】
具体的には、サブフレーム番号が２であるアップリンクサブフレームで送信されるアップリンクデータについてのＡＣＫ／ＮＡＣＫは、サブフレーム番号が８であるダウンリンクサブフレームで送信される。
【０１６２】
具体的には、全てのダウンリンクサブフレームで送信されるダウンリンクデータについてのＡＣＫ／ＮＡＣＫは、サブフレーム番号が２であるアップリンクサブフレームで送信される。
【０１６３】
例えば以上のように、上記アップリンクデータについての上記ＡＣＫ／ＮＡＣＫが、上記ＵＬ／ＤＬコンフィギュレーションのために予め定められたＡＣＫ／ＮＡＣＫ送信用のダウンリンクサブフレームで端末装置２００へ送信される。これにより、例えば、個々のＵＬ／ＤＬコンフィギュレーションに適したサブフレームで、ＡＣＫ／ＮＡＣＫが送信される。
【０１６４】
−第２の例：コンフィギュレーション間で共通するサブフレーム
例えば、上述したように、上記ＵＬ／ＤＬコンフィギュレーションは、複数のＵＬ／ＤＬコンフィギュレーションの中から選択されたＵＬ／ＤＬコンフィギュレーションである。この場合に、第２の例として、制御部１５５は、上記アップリンクデータについての上記ＡＣＫ／ＮＡＣＫが、上記複数のＵＬ／ＤＬコンフィギュレーションの間で共通するダウンリンクサブフレームで端末装置２００へ送信されるように、上記再送要求のプロセスを実行してもよい。
【０１６５】
一例として、上記ＵＬ／ＤＬコンフィギュレーションが、図１１に示されるコンフィギュレーション０〜６のいずれであっても、上記アップリンクデータについての上記ＡＣＫ／ＮＡＣＫが、サブフレーム番号が０、５であるダウンリンクサブフレームの少なくとも一方で送信されてもよい。
【０１６６】
これにより、例えば、ＵＬ／ＤＬコンフィギュレーションが動的に変更される場合であっても、端末装置２００は、アップリンクデータについてのＡＣＫ／ＮＡＣＫを受信することができる。
【０１６７】
＜３．２．端末装置の構成＞＞
図２３及び図２４を参照して、本開示の実施形態に係る端末装置２００の構成の一例を説明する。図２３は、本開示の実施形態に係る端末装置２００の構成の一例を示すブロック図である。図２３を参照すると、端末装置２００は、アンテナ部２１０、無線通信部２２０、記憶部２３０及び処理部２４０を備える。
【０１６８】
（アンテナ部２１０）
アンテナ部２１０は、無線通信部２２０により出力される信号を電波として空間に放射する。また、アンテナ部２１０は、空間の電波を信号に変換し、当該信号を無線通信部２２０へ出力する。
【０１６９】
（無線通信部２２０）
無線通信部２２０は、信号を送受信する。例えば、無線通信部２２０は、基地局からのダウンリンク信号を受信し、基地局へのアップリンク信号を送信する。なお、無線通信部２２０は、ダウンリンク信号の受信とアップリンク信号の送信とを同時には行わない。以下、図２４を参照して、無線通信部２２０に含まれるハードウェアの一例を説明する。
【０１７０】
図２４は、本開示の実施形態に係る端末装置２００の無線通信部２２０に含まれるハードウェアの一例を説明するための説明図である。図２４を参照すると、アンテナ部２１０に含まれるアンテナ２０１と、無線通信部２２０に含まれるＦＤＤ受信回路２１１、ＦＤＤ送信回路２１３、局部発振器２１５及びスイッチ２１７とが示されている。
【０１７１】
例えば、端末装置２００は、ＴＤＤでの無線通信を行う。この場合に、局部発振器２１５の周波数は、ＴＤＤの周波数帯域の周波数に設定される。また、スイッチ２１７は、端末装置２００がダウンリンク信号を受信する場合には、アンテナ２０１をＦＤＤ受信回路２１１に接続し、端末装置２００がアップリンク信号を送信する場合には、アンテナ２０１をＦＤＤ送信回路２１３に接続する。
【０１７２】
例えば、端末装置２００は、ＨＤ−ＦＤＤでの無線通信を行う。この場合に、端末装置２００がダウンリンク信号を受信する場合には、局部発振器２１５の周波数は、ダウンリンク帯域の周波数に設定され、スイッチ２１７は、アンテナ２０１をＦＤＤ受信回路２１１に接続する。端末装置２００がアップリンク信号を送信する場合には、局部発振器２１５の周波数は、アップリンク帯域の周波数に設定され、スイッチ２１７は、アンテナ２０１をＦＤＤ送信回路２１３に接続する。
【０１７３】
（記憶部２３０）
記憶部２３０は、端末装置２００の動作のためのプログラム及びデータを一時的に又は恒久的に記憶する。
【０１７４】
（処理部２４０）
処理部２４０は、端末装置２００の様々な機能を提供する。処理部２４０は、情報取得部２４１及び制御部２４３を含む。なお、処理部２４０は、これらの構成要素以外の他の構成要素をさらに含み得る。即ち、処理部２４０は、これらの構成要素の動作以外の動作も行い得る。
【０１７５】
（情報取得部２４１）
情報取得部２４１は、基地局１００が端末装置２００に通知するＴＤＤのＵＬ／ＤＬコンフィギュレーションを示す情報を取得する。
【０１７６】
例えば、上述したように、基地局１００は、上記ＵＬ／ＤＬコンフィギュレーションを端末装置２００に通知する。すると、上記ＵＬ／ＤＬコンフィギュレーションを示す情報が、記憶部２３０に記憶される。その後のいずれかのタイミングで、情報取得部２４１は、記憶部２３０から、上記ＵＬ／ＤＬコンフィギュレーションを示す上記情報を取得する。
【０１７７】
（制御部２４３）
（ａ）ＵＬ／ＤＬコンフィギュレーションに従った無線通信の制御
制御部２４３は、上記ＵＬ／ＤＬコンフィギュレーションに従って、端末装置２００による基地局１００とのＨＤ−ＦＤＤでの無線通信を制御する。
【０１７８】
これにより、例えば、端末装置２００がより容易にＦＤＤのセルでの無線通信を行うことが可能になる。また、ＨＤ−ＦＤＤでの無線通信を行う端末装置２００に無線リソースがより柔軟に割り当てられ得る。
【０１７９】
（ａ−１）特定のサブフレームでの送受信の切替え
例えば、制御部２４３は、上記ＵＬ／ＤＬコンフィギュレーションの１つのアップリンクサブフレーム及び１つのダウンサブフレームの間に各々位置する２つ以上の特定のサブフレームで、端末装置２００によるダウンリンク受信とアップリンク送信との切替えを行う。
【０１８０】
−特定のサブフレームの例
例えば、上記２つ以上の特定のサブフレームは、１つ以上のスペシャルサブフレームと、１つのアップリンクサブフレームの直後且つ１つのダウンリンクサブフレームの直前に各々位置する１つ以上のサブフレーム（アップリンクサブフレーム又はダウンリンクサブフレーム）とを含む。
【０１８１】
図１９を再び参照すると、例えば、上記ＵＬ／ＤＬコンフィギュレーションがコンフィギュレーション３である場合に、制御部２４３は、サブフレーム番号が１であるスペシャルサブフレーム、及びサブフレーム番号が５であるダウンリンクサブフレームで、ダウンリンク受信とアップリンク送信との切替えを行う。例えば、上記ＵＬ／ＤＬコンフィギュレーションがコンフィギュレーション４である場合に、制御部２４３は、サブフレーム番号が１であるスペシャルサブフレーム、及びサブフレーム番号が４であるダウンリンクサブフレームで、ダウンリンク受信とアップリンク送信との切替えを行う。例えば、上記ＵＬ／ＤＬコンフィギュレーションがコンフィギュレーション５である場合に、制御部２４３は、サブフレーム番号が１であるスペシャルサブフレーム、及びサブフレーム番号が３であるダウンリンクサブフレームで、ダウンリンク受信とアップリンク送信との切替えを行う。
【０１８２】
−切替え
例えば、制御部２４３は、無線通信部２２０の制御により上記切替えを行う。図２４を再び参照すると、例えば、制御部２４３は、局部発振器２１５の周波数及びスイッチ２１７の接続先の変更を（例えば無線通信部２２０に）指示することにより、上記切替えを行う。
【０１８３】
例えば、制御部２４３は、局部発振器２１５の周波数をダウンリンク帯域の周波数からアップリンク帯域の周波数に変更し、スイッチ２１７の接続先をＦＤＤ受信回路２１１からＦＤＤ送信回路２１３に変更するように、無線通信部１２０に指示する。これにより、端末装置２００の無線通信は、ダウンリンク受信からアップリンク送信へ切り替わる。
【０１８４】
例えば、制御部２４３は、局部発振器２１５の周波数をアップリンク帯域の周波数からダウンリンク帯域の周波数に変更し、スイッチ２１７の接続先をＦＤＤ送信回路２１３からＦＤＤ受信回路２１１に変更するように、無線通信部１２０に指示する。これにより、端末装置２００の無線通信は、アップリンク送信からダウンリンク受信へ切り替わる。
【０１８５】
以上のように、上記２つ以上の特定のサブフレームで、端末装置２００によるダウンリンク受信とアップリンク送信との切替えが行われる。これにより、例えば、端末装置２００が上記ＵＬ／ＤＬコンフィギュレーションに従った無線通信を実際に行うことが可能になる。
【０１８６】
（ａ−２）他のサブフレームでの送受信
例えば、制御部２４３は、上記２つ以上の特定のサブフレームとは異なる他のサブフレームで端末装置２００がダウンリンク受信又はアップリンク送信を行うように、端末装置２００による基地局１００とのＨＤ−ＦＤＤでの無線通信を制御する。
【０１８７】
−ダウンリンクサブフレーム
例えば、制御部２４３は、上記２つ以上の特定のサブフレームとは異なる、上記ＵＬ／ＤＬコンフィギュレーションのダウンリンクサブフレームで、端末装置２００がダウンリンク帯域でのダウンリンク受信を行うように、端末装置２００による上記無線通信を制御する。
【０１８８】
例えば、制御部２４３は、上記ＵＬ／ＤＬコンフィギュレーションのダウンリンクサブフレームにおいてダウンリンク帯域の制御チャネル（例えば、ＰＤＣＣＨ）で送信されるスケジューリング情報から、端末装置２００への無線リソースの割当てがあるかをチェックする。
【０１８９】
例えば、上記ダウンリンクサブフレームの無線リソース（ダウンリンク帯域の無線リソース）が端末装置２００に割当てられている場合には、制御部２４３は、上記無線リソースで送信されるダウンリンク信号の受信処理（例えば、復調及び復号など）を行う。
【０１９０】
例えば、上記アップリンクサブフレームの無線リソース（アップリンク帯域の無線リソース）が端末装置２００に割当てられている場合には、制御部２４３は、端末装置２００への当該無線リソースの割当てを示すスケジューリング情報を記憶部２３０に記憶させる。
【０１９１】
−アップリンクサブフレーム
例えば、制御部２４３は、上記２つ以上の特定のサブフレームとは異なる、上記ＵＬ／ＤＬコンフィギュレーションのアップリンクサブフレームで、端末装置２００がアップリンク帯域でのアップリンク送信を行うように、端末装置２００による上記無線通信を制御する。
【０１９２】
例えば、上記アップリンクサブフレームの無線リソース（アップリンク帯域の無線リソース）が端末装置２００に割当てられている場合には、制御部２４３は、上記無線リソースでのアップリンク信号の送信処理（例えば、上記無線リソースへの上記アップリンク信号のマッピングなど）を行う。
【０１９３】
（ａ−３）再送要求プロセスの実行
例えば、制御部２４３は、上記ＵＬ／ＤＬコンフィギュレーションに従って基地局１００により送信されるダウンリンクデータについてのＡＣＫ／ＮＡＣＫが上記ＵＬ／ＤＬコンフィギュレーションのアップリンクサブフレームで基地局１００へ送信されるように、再送要求のプロセスを実行する。これにより、例えば、基地局１００が、ダウンリンクデータについてのＡＣＫ／ＮＡＣＫを受信することが可能になる。
【０１９４】
例えば、上記再送要求プロセスは、ＨＡＲＱプロセスである。
【０１９５】
−第１の例：コンフィギュレーションのために予め定められたサブフレーム
第１の例として、制御部２４３は、上記ダウンリンクデータについての上記ＡＣＫ／ＮＡＣＫが、上記ＵＬ／ＤＬコンフィギュレーションのために予め定められたＡＣＫ／ＮＡＣＫ送信用のアップリンクサブフレームで端末装置２００へ送信されるように、上記再送要求のプロセスを実行する。
【０１９６】
例えば、図２０〜図２２を参照して説明したように、基地局１００により送信されるダウンリンクデータについてのＡＣＫ／ＮＡＣＫが、アップリンクサブフレームで送信される。
【０１９７】
これにより、例えば、個々のＵＬ／ＤＬコンフィギュレーションに適したサブフレームで、ＡＣＫ／ＮＡＣＫが送信される。
【０１９８】
−第２の例：コンフィギュレーション間で共通するサブフレーム
例えば、上述したように、上記ＵＬ／ＤＬコンフィギュレーションは、複数のＵＬ／ＤＬコンフィギュレーションの中から選択されたＵＬ／ＤＬコンフィギュレーションである。この場合に、第２の例として、制御部２４３は、上記ダウンリンクデータについての上記ＡＣＫ／ＮＡＣＫが、上記複数のＵＬ／ＤＬコンフィギュレーションの間で共通するアップリンクサブフレームで基地局１００へ送信されるように、上記再送要求のプロセスを実行してもよい。
【０１９９】
一例として、上記ＵＬ／ＤＬコンフィギュレーションが、図１１に示されるコンフィギュレーション０〜６のいずれであっても、上記ダウンリンクデータについての上記ＡＣＫ／ＮＡＣＫが、サブフレーム番号が２であるアップリンクサブフレームで送信されてもよい。
【０２００】
これにより、例えば、ＵＬ／ＤＬコンフィギュレーションが動的に変更される場合であっても、端末装置２００は、ダウンリンクデータについてのＡＣＫ／ＮＡＣＫを送信することができる。
【０２０１】
（ｂ）ケイパビリティの通知
例えば、制御部２４３は、端末装置２００が、ＴＤＤのＵＬ／ＤＬコンフィギュレーションに従ってＨＤ−ＦＤＤでの無線通信を行うケイパビリティを有する装置であることを、基地局１００に通知する。
【０２０２】
具体的には、例えば、制御部２４３は、アンテナ部２１０及び無線通信部２２０を介して、端末装置２００が上記ケイパビリティを有することを示すＵＥケイパビリティ情報メッセージを基地局１００へ送信する。
【０２０３】
これにより、例えば、基地局１００は、ＵＬ／ＤＬコンフィギュレーションに従った無線通信を行うべき端末装置として端末装置２００を特定することが可能になる。
【０２０４】
＜＜５．処理の流れ＞＞
続いて、図２５〜図２７を参照して、本開示の実施形態に係る基地局１００及び端末装置２００の処理の例を説明する。
【０２０５】
（基地局１００及び端末装置２００の処理）
図２５は、本開示の実施形態に係る基地局１００及び端末装置２００の処理の概略的な流れの一例を示すシーケンス図である。当該処理は、基地局３０から基地局１００への端末装置２００のハンドオーバ（即ち、ＴＤＤのセル４０からＦＤＤのセル１０への端末装置２００のハンドオーバ）が行われる場合の処理である。
【０２０６】
端末装置２００及び基地局３０は、ＴＤＤでの無線通信を行っている。端末装置２００において、セル４０についての信号強度が低くなると、基地局３０は、周辺セルのメジャメントを端末装置２００に要求する（Ｓ４０１）。
【０２０７】
端末装置２００は、基地局３０からの要求に応じて、周辺セルのメジャメントを行う（Ｓ４０３）。当該メジャメントは、ＴＤＤのセルのメジャメントのみではなく、ＦＤＤのセルのメジャメントを含む。端末装置２００は、セルサーチの対象である周波数のリストを予め保持している。その後、端末装置２００は、メジャメントレポートを基地局３０へ送信する（Ｓ４０５）。
【０２０８】
基地局３０は、基地局３０から基地局１００への端末装置２００のハンドオーバを決定し、基地局１００にハンドオーバを要求する（Ｓ４０７）。そして、基地局１００は、上記ハンドオーバの要求への応答（acknowledgement）を基地局３０へ送信し（Ｓ４０９）、基地局３０は、ハンドオーバの命令（handover  command）を端末装置２００へ送信する（Ｓ４１１）。
【０２０９】
端末装置２００は、基地局１００のセル１０に同期し（Ｓ４１３）、基地局１００に接続を要求する（Ｓ４１５）。すると、基地局１００は、上記接続を許可する（Ｓ４１７）。
【０２１０】
基地局１００は、端末装置２００のケイパビリティなどを示すケイパビリティ情報を端末装置２００に要求し（Ｓ４１９）、端末装置２００は、上記ケイパビリティ情報を基地局１００へ送信する（Ｓ４２１）。
【０２１１】
基地局１００は、端末装置２００のためのＵＬ／ＤＬコンフィギュレーションを端末装置２００に通知し得る（Ｓ４２３）。そして、端末装置２００は、確認応答を基地局１００へ送信し得る（Ｓ４２５）。
【０２１２】
その後、端末装置２００及び基地局１００は、ＵＬ／ＤＬコンフィギュレーション（システム情報に含まれるもの、又は端末装置２００に個別に通知されたもの）に従って、ＨＤ−ＦＤＤでの無線通信を行う。
【０２１３】
（端末装置２００の処理）
（ａ）第１の処理
図２６は、本開示の実施形態に係る端末装置２００の第１の処理の概略的な流れの一例を示すフローチャートである。当該第１の処理は、セルサーチからケイパビリティ情報の送信までの処理である。
【０２１４】
端末装置２００は、セルサーチの対象である周波数のリストを予め保持している。そのため、端末装置２００は、当該リストに従ってダウンリンク信号を受信し、受信されるダウンリンク信号に含まれる同期信号を検出する（Ｓ４４１）。例えば、当該同期信号は、ＰＳＳ及びＳＳＳである。端末装置２００は、上記同期信号に基づいて、ダウンリンクでの同期を獲得し、セルＩＤを取得する（Ｓ４４３）。
【０２１５】
さらに、端末装置２００は、システム情報を受信する（Ｓ４４５）。当該システム情報は、ＭＩＢ及びＳＩＢである。
【０２１６】
ＴＤＤのセルとＦＤＤのセルとでは、同期信号が送信される時間領域の位置が異なるので、端末装置２００は、同期信号の検出により、対象のセルがＴＤＤのセルかＦＤＤのセルかを判定することができる（Ｓ４４７）。また、対象のセルがＦＤＤのセルである場合に（Ｓ４４７：ＹＥＳ）、端末装置２００は、例えば、システム情報の中にＴＤＤのＵＬ／ＤＬコンフィギュレーションが含まれるか否かに基づいて、対象のセルにおいて、ＵＬ／ＤＬコンフィギュレーションに従ってＨＤ−ＦＤＤでの無線通信が可能であるかを判定できる（Ｓ４４９）。なお、ＦＤＤのダウンリンク帯域とアップリンク帯域とのペアが規格において予め定められているので、端末装置２００は、ＦＤＤのダウンリンク帯域を知ることにより、ＦＤＤのアップリンク帯域も知ることができる。
【０２１７】
例えば、対象のセルがＦＤＤのセルであり（Ｓ４４７：ＹＥＳ）、且つ、対象のセルにおいてＵＬ／ＤＬコンフィギュレーションに従ってＨＤ−ＦＤＤでの無線通信が可能ではない（Ｓ４４９：ＮＯ）。この場合に、端末装置２００は、他のセルを選択する（Ｓ４５１）。そして、処理はステップＳ４４１へ戻る。
【０２１８】
例えば、対象のセルがＦＤＤのセルであり（Ｓ４４７：ＹＥＳ）、且つ、対象のセルにおいてＵＬ／ＤＬコンフィギュレーションに従ってＨＤ−ＦＤＤでの無線通信が可能である（Ｓ４４９：ＹＥＳ）。この場合に、端末装置２００は、上記システム情報から、ＵＬ／ＤＬコンフィギュレーションを示す情報を取得し（Ｓ４５３）、ランダムアクセスパラメータを取得する（Ｓ４５５）。そして、端末装置２００は、ランダムアクセス手続き（及び接続手続き）を行う（Ｓ４５７）。さらに、端末装置２００は、基地局１００からの要求に応じて、端末装置２００のケイパビリティを示すケイパビリティ情報を基地局１００へ送信する（Ｓ４５９）。例えば、当該ケイパビリティ情報は、ＵＥケイパビリティ情報メッセージである。端末装置２００は、上記ケイパビリティ情報の送信により、端末装置２００がＨＤ（ＨＤ−ＦＤＤ）をサポートしていることを、基地局１００に通知する。また、端末装置２００は、上記ケイパビリティ情報の送信により、端末装置２００がＵＬ／ＤＬコンフィギュレーションに従ってＨＤ−ＦＤＤでの無線通信を行うケイパビリティを有する装置であることを、基地局１００に通知する。そして、処理は終了する。
【０２１９】
なお、上記処理の終了後に、端末装置２００（情報取得部２４１）は、上記ＵＬ／ＤＬコンフィギュレーションを示す上記情報を取得する。そして、端末装置２００（制御部２４３）は、上記ＵＬ／ＤＬコンフィギュレーションに従ったＨＤ−ＦＤＤでの無線通信を行う。また、基地局１００は、端末装置２００のために個別に選択されたＵＬ／ＤＬコンフィギュレーションを端末装置２００にさらに通知し得る。この場合に、端末装置２００は、端末装置２００のために個別に選択された上記ＵＬ／ＤＬコンフィギュレーションに従ってＨＤ−ＦＤＤでの無線通信を行う。
【０２２０】
一方、対象のセルがＴＤＤのセルである場合には（Ｓ４４７：ＮＯ）、端末装置２００は、上記システム情報から、ＵＬ／ＤＬコンフィギュレーションを示す情報を取得し（Ｓ４５３）、ランダムアクセスパラメータを取得する（Ｓ４５５）。そして、端末装置２００は、ランダムアクセス手続き（及び接続手続き）を行う（Ｓ４５７）。さらに、端末装置２００は、基地局１００からの要求に応じて、端末装置２００のケイパビリティを示すケイパビリティ情報を基地局１００へ送信する（Ｓ４５９）。そして、処理は終了する。
【０２２１】
（ｂ）第２の処理
図２７は、本開示の実施形態に係る端末装置２００の第２の処理の概略的な流れの一例を示すフローチャートである。当該第２の処理は、ＨＤＤ−ＦＤＤでの無線通信の処理である。
【０２２２】
サブフレームが、（特定のサブフレームとは異なる）ダウンリンクサブフレームである場合（Ｓ４６１：ＹＥＳ）、端末装置２００は、ダウンリンク信号を受信する（Ｓ４６３）。当該ダウンリンク信号は、制御チャネル（例えば、ＰＤＣＣＨ）で送信されるダウンリンク制御情報の信号を含む。
【０２２３】
上記ダウンリンク制御情報の中に端末装置２００のためのアップリンクのスケジューリング情報がある場合には（Ｓ４６５：ＹＥＳ）、端末装置２００は、アップリンクの当該スケジューリング情報を記憶する（Ｓ４６７）。
【０２２４】
上記ダウンリンク制御情報の中に端末装置２００のためのダウンリンクのスケジューリング情報がある場合には（Ｓ４６９：ＹＥＳ）、端末装置２００は、端末装置２００宛のダウンリンクデータの受信処理を行う（Ｓ４７１）。そして、次のサブフレームが対象となり（Ｓ４７３）、処理はステップＳ４６１へ戻る。
【０２２５】
サブフレームが、ダウンリンクサブフレームではなく（Ｓ４６１：ＮＯ）、（特定のサブフレームとは異なる）アップリンクサブフレームであり（Ｓ４７５：ＹＥＳ）、且つ、端末装置２００がアップリンクデータを送信するサブフレームであれば（Ｓ４７７：ＹＥＳ）、端末装置２００は、アップリンクデータを送信する（Ｓ４７９）。そして、次のサブフレームが対象となり（Ｓ４７３）、処理はステップＳ４６１へ戻る。
【０２２６】
サブフレームが、アップリンクサブフレームでもない（即ち、特定のサブフレームである）場合には（Ｓ４７５：ＮＯ）、端末装置２００は、ダウンリンク受信とアップリンク送信との切替えを行う（Ｓ４８１）。そして、次のサブフレームが対象となり（Ｓ４７３）、処理はステップＳ４６１へ戻る。
【０２２７】
＜＜５．変形例＞＞
続いて、図２８〜図３１を参照して、本開示の実施形態の第１〜第５の変形例を説明する。
【０２２８】
本開示の実施形態の変形例では、端末装置２００は、キャリアアグリゲーションのセカンダリセルで端末装置２００へ送信されるダウンリンクデータについてのＡＣＫ／ＮＡＣＫを、キャリアアグリゲーションのプライマリセルで送信する。
【０２２９】
なお、本開示の実施形態の第１〜第５の変形例は、プライマリセル（Ｐｃｅｌｌ）、セカンダリセル（Ｓｃｅｌｌ）、並びに、プライマリセル及びセカンダリセルのＵＬ／ＤＬコンフィギュレーションの選択について、以下のように特徴付けられる。
【０２３０】
【表１】
2016025512.tif 000003
【０２３１】
第１の変形例では、端末装置２００のプライマリセル及びセカンダリセルは、基地局１００のコンポーネントキャリア（ＣＣ）である。端末装置２００は、プライマリセル及びセカンダリセルの両方で、基地局１００との無線通信を行う。例えば、基地局１００が、プライマリセルのＵＬ／ＤＬコンフィギュレーション及びセカンダリセルのＵＬ／ＤＬコンフィギュレーションの両方を選択する。
【０２３２】
第２〜第５の変形例では、端末装置２００のプライマリセルは、マクロセルのＣＣであり、端末装置２００のセカンダリセルは、スモールセルのＣＣである。端末装置２００は、プライマリセルでマクロセルの基地局との無線通信を行い、セカンダリセルでスモールセルの基地局との無線通信を行う。
【０２３３】
第２の変形例及び第３の変形例では、上記マクロセルは、基地局１００のセル１０であり、上記スモールセルは、他の基地局のセルである。第２の変形例では、上記セカンダリセルのＵＬ／ＤＬコンフィギュレーションに応じて、上記プライマリセルのＵＬ／ＤＬコンフィギュレーションが選択される。第３の変形例では、上記プライマリセルのＵＬ／ＤＬコンフィギュレーションに応じて、上記セカンダリセルのＵＬ／ＤＬコンフィギュレーションが選択される。
【０２３４】
第４の変形例及び第５の変形例では、上記マクロセルは、他の基地局のセルであり、上記スモールセルは、基地局１００のセル１０である。第４の変形例では、上記プライマリセルのＵＬ／ＤＬコンフィギュレーションに応じて、上記セカンダリセルのＵＬ／ＤＬコンフィギュレーションが選択される。第５の変形例では、上記セカンダリセルのＵＬ／ＤＬコンフィギュレーションに応じて、上記プライマリセルのＵＬ／ＤＬコンフィギュレーションが選択される。
【０２３５】
＜５．１．変形例に共通の特徴＞
まず、図２８及び図２９を参照して、第１〜第５の変形例に共通の特徴を説明する。
【０２３６】
（端末装置２００）
本開示の実施形態の変形例では、端末装置２００は、キャリアアグリゲーションをサポートする。即ち、端末装置２００は、複数のＣＣで同時に無線通信を行うことが可能である。上記複数のＣＣは、１つのプライマリセルと、１つ以上のセカンダリセルとを含む。
【０２３７】
例えば、端末装置２００は、プライマリセル及びセカンダリセルで同時に無線通信を行う。さらに、端末装置２００は、上記セカンダリセルで端末装置２００へ送信されるダウンリンクデータについてのＡＣＫ／ＮＡＣＫを、上記プライマリセルで送信する。
【０２３８】
（ＵＬ／ＤＬコンフィギュレーション）
（ａ）基地局１００が端末装置２００に通知するＵＬ／ＤＬコンフィギュレーション
上述したように、基地局１００（制御部１５５）は、上記ＵＬ／ＤＬコンフィギュレーションを端末装置２００に通知する。
【０２３９】
本開示の実施形態の変形例では、基地局１００（制御部１５５）が端末装置２００に通知する上記ＵＬ／ＤＬコンフィギュレーションは、端末装置２００のプライマリセルのＵＬ／ＤＬコンフィギュレーション、及び端末装置２００のセカンダリセルのＵＬ／ＤＬコンフィギュレーションのうちの、少なくとも一方を含む。
【０２４０】
（ｂ）プライマリセルのＵＬ／ＤＬコンフィギュレーションとセカンダリセルのＵＬ／ＤＬコンフィギュレーションの関係
さらに、とりわけ本開示の実施形態の変形例では、上記プライマリセルの上記ＵＬ／ＤＬコンフィギュレーションは、上記セカンダリセルの上記ＵＬ／ＤＬコンフィギュレーションに従って送信されるダウンリンクデータについてのＡＣＫ／ＮＡＣＫが送信されるサブフレームを、アップリンクサブフレームとして定める。これにより、例えば、端末装置２００は、上記ＡＣＫ／ＮＡＣＫを上記プライマリセルで送信することが可能になる。
【０２４１】
例えば、上記プライマリセルの上記ＵＬ／ＤＬコンフィギュレーションは、上記セカンダリセルの上記ＵＬ／ＤＬコンフィギュレーションがアップリンクサブフレームとして定める全てのサブフレームを、アップリンクサブフレームとして定める。上記ＡＣＫ／ＮＡＣＫが送信されるいずれのサブフレームも、上記セカンダリセルの上記ＵＬ／ＤＬコンフィギュレーションがアップリンクサブフレームとして定めるサブフレームである。そのため、上記ＡＣＫ／ＮＡＣＫが具体的にどのサブフレームで送信されるかにかかわらず、端末装置２００は、上記ＡＣＫ／ＮＡＣＫを上記プライマリセルで送信することができる。
【０２４２】
一例として、上記プライマリセルの上記ＵＬ／ＤＬコンフィギュレーションは、上記セカンダリセルの上記ＵＬ／ＤＬコンフィギュレーションと同一である。以下、この点について図２８を参照して具体例を説明する。
【０２４３】
図２８は、本開示の実施形態の変形例に係るＡＣＫ／ＮＡＣＫの送信の第１の例を説明するための説明図である。図２８を参照すると、端末装置２００のプライマリセル（Ｐｃｅｌｌ）及びセカンダリセル（Ｓｃｅｌｌ）について、アップリンク及びダウンリンクの状況が示されている。この例では、セカンダリセルはＴＤＤのＣＣであり、プライマリセルはＦＤＤのＣＣである。この例では、上記プライマリセルのＵＬ／ＤＬコンフィギュレーション、及び上記セカンダリセルのＵＬ／ＤＬコンフィギュレーションは、コンフィギュレーション３である。端末装置２００は、上記セカンダリセルにおいてコンフィギュレーション３に従って送信されるダウンリンクデータについてのＡＣＫ／ＮＡＣＫを、コンフィギュレーション３に対応するＡＣＫ／ＮＡＣＫ送信用のサブフレームで送信する。即ち、端末装置２００は、上記ＡＣＫ／ＮＡＣＫを、コンフィギュレーション３のアップリンクサブフレーム（サブフレーム番号が２、３、４であるサブフレーム）で送信する。さらに、キャリアアグリゲーションのケースでは、端末装置２００は、上記ＡＣＫ／ＮＡＣＫを、上記プライマリセルで送信する必要がある。この例では、上記プライマリセルの上記ＵＬ／ＤＬコンフィギュレーションも、サブフレーム３であるので、上記ＡＣＫ／ＮＡＣＫ送信用のサブフレームは、上記プライマリセルでもアップリンクサブフレームである。一例として、上記セカンダリセルにおいて、サブフレーム番号が９であるサブフレームで、ダウンリンクデータが端末装置２００へ送信され、端末装置２００は、当該ダウンリンクデータを受信する。すると、端末装置２００は、上記プライマリセルにおいて、上記ダウンリンクデータについてのＡＣＫ／ＮＡＣＫを、サブフレーム番号が４である次のサブフレーム（アップリンクサブフレーム）で送信する。このように、上記ＡＣＫ／ＮＡＣＫは、プライマリセルで適切に送信される。
【０２４４】
なお、当然ながら、上記プライマリセルの上記ＵＬ／ＤＬコンフィギュレーションは、上記セカンダリセルの上記ＵＬ／ＤＬコンフィギュレーションと同一でなくてもよい。以下、この点について図２９を参照して具体例を説明する。
【０２４５】
図２９は、本開示の実施形態の変形例に係るＡＣＫ／ＮＡＣＫの送信の第２の例を説明するための説明図である。図２９を参照すると、端末装置２００のプライマリセル（Ｐｃｅｌｌ）及びセカンダリセル（Ｓｃｅｌｌ）について、アップリンク及びダウンリンクの状況が示されている。この例では、セカンダリセルはＴＤＤのＣＣであり、プライマリセルはＦＤＤのＣＣである。この例では、上記プライマリセルのＵＬ／ＤＬコンフィギュレーションは、コンフィギュレーション３である。また、上記セカンダリセルのＵＬ／ＤＬコンフィギュレーションは、コンフィギュレーション２である。端末装置２００は、上記セカンダリセルにおいてコンフィギュレーション２に従って送信されるダウンリンクデータについてのＡＣＫ／ＮＡＣＫを、コンフィギュレーション５のために予め定められたＡＣＫ／ＮＡＣＫの送信用のサブフレームで送信する。即ち、端末装置２００は、上記ＡＣＫ／ＮＡＣＫを、サブフレーム番号が２であるサブフレーム（コンフィギュレーション２のアップリンクサブフレーム）で送信する。さらに、キャリアアグリゲーションのケースでは、端末装置２００は、上記ＡＣＫ／ＮＡＣＫを、上記プライマリセルで送信する必要がある。この例では、上記プライマリセルの上記ＵＬ／ＤＬコンフィギュレーションは、コンフィギュレーション３であり、上記ＡＣＫ／ＮＡＣＫ送信用のサブフレーム（即ち、サブフレーム番号が２であるサブフレーム）は、上記プライマリセルでもアップリンクサブフレームである。例えば、上記セカンダリセルにおいて、サブフレーム番号が０、１、３、４、５、６、８、９のいずれかであるサブフレームで、ダウンリンクデータが端末装置２００へ送信され、端末装置２００は、当該ダウンリンクデータを受信する。すると、端末装置２００は、上記プライマリセルにおいて、上記ダウンリンクデータについてのＡＣＫ／ＮＡＣＫを、サブフレーム番号が２である次のサブフレーム（アップリンクサブフレーム）で送信する。このように、上記ＡＣＫ／ＮＡＣＫは、プライマリセルで適切に送信される。
【０２４６】
（ｃ）ＡＣＫ／ＮＡＣＫが送信されるサブフレーム
上記ＡＣＫ／ＮＡＣＫ（即ち、上記セカンダリセルの上記ＵＬ／ＤＬコンフィギュレーションに従って送信されるダウンリンクデータについてのＡＣＫ／ＮＡＣＫ）が送信される上記サブフレームは、上記セカンダリセルの上記ＵＬ／ＤＬコンフィギュレーションのために予め定められている。具体的には、例えば、上記サブフレームは、３ＧＰＰ  ＴＳ３６．２１３のＴａｂｌｅ  ８−２に定められている。
【０２４７】
これにより、上記プライマリセルの上記ＵＬ／ＤＬコンフィギュレーションが、上記ＡＣＫ／ＮＡＣＫが送信される上記サブフレームをアップリンクサブフレームとして定めるように、上記プライマリセルの上記ＵＬ／ＤＬコンフィギュレーション及び上記セカンダリセルの上記ＵＬ／ＤＬコンフィギュレーションの一方に応じて他方を柔軟に選択することが可能になる。
【０２４８】
＜５．２．第１の変形例＞
次に、図３０を参照して、本開示の実施形態の第１の変形例を説明する。
【０２４９】
（プライマリセル及びセカンダリセル）
第１の変形例では、端末装置２００のプライマリセル及びセカンダリセルは、同一の基地局のＣＣである。即ち、上記プライマリセル及び上記セカンダリセルは、基地局１００のＣＣである。
【０２５０】
例えば、上記プライマリセル及び上記セカンダリセルは、ＦＤＤのＣＣである。以下、この点について、図３０を参照して具体例を説明する。
【０２５１】
図３０は、プライマリセル及びセカンダリセルの例を説明するための説明図である。図３０を参照すると、ＦＤＤのアップリンクＣＣ及びダウンリンクＣＣの２つのペアが示されている。例えば、端末装置２００のプライマリセルは、上記２つのペアの一方であり、端末装置２００のセカンダリセルは、上記２つのペアの他方である。
【０２５２】
（基地局１００：選択部１５１）
上述したように、選択部１５１は、ＴＤＤのＵＬ／ＤＬコンフィギュレーションを選択する。
【０２５３】
第１の変形例では、上記ＵＬ／ＤＬコンフィギュレーションは、上記プライマリセルのＵＬ／ＤＬコンフィギュレーション、及び上記セカンダリセルのＵＬ／ＤＬコンフィギュレーションを含む。即ち、選択部１５１は、端末装置２００のプライマリセルのＵＬ／ＤＬコンフィギュレーション、及び端末装置２００のセカンダリセルのＵＬ／ＤＬコンフィギュレーションを選択する。
【０２５４】
とりわけ、選択部１５１は、上記プライマリセルの上記ＵＬ／ＤＬコンフィギュレーションが、上記セカンダリセルの上記ＵＬ／ＤＬコンフィギュレーションに従って送信されるダウンリンクデータについてのＡＣＫ／ＮＡＣＫが送信されるサブフレームを、アップリンクサブフレームとして定めるように、上記プライマリセルの上記ＵＬ／ＤＬコンフィギュレーション及び上記セカンダリセルの上記ＵＬ／ＤＬコンフィギュレーションを選択する。
【０２５５】
（基地局１００：情報取得部１５３）
上述したように、情報取得部１５３は、ＵＬ／ＤＬコンフィギュレーションを示す情報（即ち、コンフィギュレーション情報）を取得する。
【０２５６】
第１の変形例では、上記ＵＬ／ＤＬコンフィギュレーションは、上記プライマリセルのＵＬ／ＤＬコンフィギュレーション、及び上記セカンダリセルのＵＬ／ＤＬコンフィギュレーションを含む。即ち、情報取得部１５３は、端末装置２００のプライマリセルのＵＬ／ＤＬコンフィギュレーションを示すコンフィギュレーション情報と、端末装置２００のセカンダリセルのＵＬ／ＤＬコンフィギュレーションを示すコンフィギュレーション情報とを取得する。
【０２５７】
（基地局１００：制御部１５５）
上述したように、制御部１５５は、上記ＵＬ／ＤＬコンフィギュレーションを端末装置２００に通知する。
【０２５８】
第１の変形例では、上記ＵＬ／ＤＬコンフィギュレーションは、上記プライマリセルのＵＬ／ＤＬコンフィギュレーション、及び上記セカンダリセルのＵＬ／ＤＬコンフィギュレーションを含む。即ち、制御部１５５は、端末装置２００の上記プライマリセルのＵＬ／ＤＬコンフィギュレーションを端末装置２００に通知する。また、制御部１５５は、端末装置２００の上記セカンダリセルのＵＬ／ＤＬコンフィギュレーションを端末装置２００に通知する。
【０２５９】
なお、例えば、制御部１５５は、上記プライマリセル及び上記セカンダリセルの各々について、上述したように、上記ＵＬ／ＤＬコンフィギュレーションに従った無線通信の制御（例えば、再送要求プロセスの実行、無線リソースの割当て、及び／又は無線リソースの割当ての通知など）を行う。
【０２６０】
以上、第１の変形例を説明した。第１の変形例によれば、キャリアアグリゲーションが行われる場合にも、ダウンリンクデータについてのＡＣＫ／ＮＡＣＫが適切に送信され得る。
【０２６１】
＜６．３．第２の変形例＞
次に、本開示の実施形態の第２の変形例を説明する。
【０２６２】
（プライマリセル及びセカンダリセル）
（ａ）マクロセル及びスモールセル
第２の変形例では、端末装置２００のプライマリセルは、マクロセルのＣＣであり、端末装置２００のセカンダリセルは、上記マクロセルと重なるスモールセルのＣＣである。
【０２６３】
さらに、上記マクロセルの基地局は、基地局１００であり、上記スモールセルの基地局は、他の基地局である。
【０２６４】
図１６を再び参照すると、基地局１００、基地局１００のセル１０、基地局３０、基地局３０のセル４０及び端末装置２００が示されている。セル１０は、マクロセルであり、基地局１００は、当該マクロセルの基地局である。また、セル４０は、セル１０（マクロセル）と重なるスモールセルであり、基地局３０は、当該スモールセルの基地局である。端末装置２００は、セル１０（マクロセル）のＣＣであるプライマリセルで、基地局１００との無線通信を行い、セル４０（スモールセル）のＣＣであるセカンダリセルで、基地局３０との無線通信を行う。
【０２６５】
（ｂ）複信方式
（ｂ−１）プライマリセル
第２の変形例では、上記プライマリセルは、基地局１００のセル１０（マクロセル）のＣＣであるので、上記プライマリセルは、ＦＤＤのＣＣである。
【０２６６】
（ｂ−２）セカンダリセル
−第１の例：ＴＤＤ
第１の例として、上記セカンダリセルは、ＴＤＤのＣＣである。
【０２６７】
図１７を再び参照すると、ＦＤＤのアップリンクＣＣ及びダウンリンクＣＣのペアと、ＴＤＤのＣＣとが示されている。例えば、端末装置２００のプライマリセルは、ＦＤＤのアップリンクＣＣ及びダウンリンクＣＣのペアであり、端末装置２００のセカンダリセルは、ＴＤＤのＣＣである。
【０２６８】
−第２の例：ＦＤＤ
第２の例として、上記セカンダリセルは、ＦＤＤのＣＣであってもよい。
【０２６９】
図３０を再び参照すると、端末装置２００のプライマリセルは、ＦＤＤのアップリンクＣＣ及びダウンリンクＣＣの２つのペアの一方であってもよく、端末装置２００のセカンダリセルは、上記２つのペアの他方であってもよい。
【０２７０】
（基地局１００：選択部１５１）
上述したように、選択部１５１は、ＴＤＤのＵＬ／ＤＬコンフィギュレーションを選択する。
【０２７１】
第２の変形例では、上記ＵＬ／ＤＬコンフィギュレーションは、上記プライマリセルのＵＬ／ＤＬコンフィギュレーションである。即ち、選択部１５１は、端末装置２００のプライマリセルのＵＬ／ＤＬコンフィギュレーションを選択する。
【０２７２】
とりわけ、選択部１５１は、上記セカンダリセルのＵＬ／ＤＬコンフィギュレーションに応じて、上記ＵＬ／ＤＬコンフィギュレーション（即ち、上記プライマリセルのＵＬ／ＤＬコンフィギュレーション）を選択する。即ち、選択部１５１は、上記プライマリセルの上記ＵＬ／ＤＬコンフィギュレーションが、上記セカンダリセルの上記ＵＬ／ＤＬコンフィギュレーションに従って送信されるダウンリンクデータについてのＡＣＫ／ＮＡＣＫが送信されるサブフレームを、アップリンクサブフレームとして定めるように、上記プライマリセルの上記ＵＬ／ＤＬコンフィギュレーションを選択する。
【０２７３】
一例として、図２８を参照して説明したように、上記セカンダリセルの上記ＵＬ／ＤＬコンフィギュレーションが、コンフィギュレーション３である場合に、選択部１５１は、上記プリマリセルのＵＬ／ＤＬコンフィギュレーションとして、コンフィギュレーション３を選択する。別の例として、図２９を参照して説明したように、上記セカンダリセルの上記ＵＬ／ＤＬコンフィギュレーションが、コンフィギュレーション２である場合に、選択部１５１は、上記プリマリセルのＵＬ／ＤＬコンフィギュレーションとして、コンフィギュレーション３を選択する。
【０２７４】
なお、例えば、基地局１００は、上記セカンダリセルの上記ＵＬ／ＤＬコンフィギュレーションを示す情報を、基地局３０から取得する。
【０２７５】
（基地局１００：情報取得部１５３）
上述したように、情報取得部１５３は、ＵＬ／ＤＬコンフィギュレーションを示す情報（即ち、コンフィギュレーション情報）を取得する。
【０２７６】
第２の変形例では、上記ＵＬ／ＤＬコンフィギュレーションは、上記プライマリセルのＵＬ／ＤＬコンフィギュレーションである。即ち、情報取得部１５３は、端末装置２００のプライマリセルのＵＬ／ＤＬコンフィギュレーションを示すコンフィギュレーション情報を取得する。
【０２７７】
（基地局１００：制御部１５５）
上述したように、制御部１５５は、上記ＵＬ／ＤＬコンフィギュレーションを端末装置２００に通知する。
【０２７８】
第２の変形例では、上記ＵＬ／ＤＬコンフィギュレーションは、上記プライマリセルのＵＬ／ＤＬコンフィギュレーションである。即ち、制御部１５５は、端末装置２００の上記プライマリセルのＵＬ／ＤＬコンフィギュレーションを端末装置２００に通知する。
【０２７９】
なお、例えば、制御部１５５は、上記プライマリセルについて、上述したように、上記ＵＬ／ＤＬコンフィギュレーションに従った無線通信の制御（例えば、再送要求プロセスの実行、無線リソースの割当て、及び／又は無線リソースの割当ての通知など）を行う。
【０２８０】
以上、第２の変形例を説明した。第２の変形例によれば、基地局間でのキャリアアグリゲーションが行われる場合にも、ダウンリンクデータについてのＡＣＫ／ＮＡＣＫが適切に送信され得る。また、第２の変形例によれば、セカンダリセルのＵＬ／ＤＬコンフィギュレーションが柔軟に選択され得る。
【０２８１】
＜５．４．第３の変形例＞
次に、本開示の実施形態の第３の変形例を説明する。
【０２８２】
（プライマリセル及びセカンダリセル）
（ａ）マクロセル及びスモールセル
マクロセル及びスモールセルについての説明は、第２の変形例と第３の変形例との間に差異はない。よって、ここでは重複する記載を省略する。
【０２８３】
（ｂ）複信方式
上記プライマリセル及び上記セカンダリセルの複信方式についての説明は、第２の変形例と第３の変形例との間に差異はない。よって、ここでは重複する記載を省略する。
【０２８４】
（基地局１００：制御部１５５）
第３の変形例では、制御部１５５は、上記ＵＬ／ＤＬコンフィギュレーション（即ち、上記プライマリセルのＵＬ／ＤＬコンフィギュレーション）に応じた、上記セカンダリセルのＵＬ／ＤＬコンフィギュレーションの選択を制御する。
【０２８５】
例えば、基地局３０（スモールセルの基地局）が、上記セカンダリセルのＵＬ／ＤＬコンフィギュレーションを選択する。この場合に、制御部１５５は、基地局３０による上記セカンダリセルのＵＬ／ＤＬコンフィギュレーションの選択を制御する。具体的には、例えば、制御部１５５は、上記ＵＬ／ＤＬコンフィギュレーション（即ち、上記プライマリセルのＵＬ／ＤＬコンフィギュレーション）を示すコンフィギュレーション情報を、基地局３０に提供する。その結果、基地局３０は、上記ＵＬ／ＤＬコンフィギュレーションに応じて、上記セカンダリセルのＵＬ／ＤＬコンフィギュレーションを選択する。
【０２８６】
一例として、図２８を参照して説明したように、上記ＵＬ／ＤＬコンフィギュレーション（即ち、上記プライマリセルの上記ＵＬ／ＤＬコンフィギュレーション）が、コンフィギュレーション３である場合に、制御部１５５は、コンフィギュレーション３を示すコンフィギュレーション情報を、基地局３０に提供する。その結果、基地局３０は、上記セカンダリセルのＵＬ／ＤＬコンフィギュレーションとして、コンフィギュレーション３を選択する。別の例として、図２９を参照して説明したように、上記ＵＬ／ＤＬコンフィギュレーション（即ち、上記プライマリセルの上記ＵＬ／ＤＬコンフィギュレーション）が、コンフィギュレーション３である場合に、制御部１５５は、コンフィギュレーション３を示すコンフィギュレーション情報を、基地局３０に提供する。その結果、基地局３０は、上記セカンダリセルのＵＬ／ＤＬコンフィギュレーションとして、コンフィギュレーション２を選択する。
【０２８７】
なお、例えば、制御部１５５は、上記プライマリセルについて、上述したように、ＵＬ／ＤＬコンフィギュレーションの通知、及び／又は、上記ＵＬ／ＤＬコンフィギュレーションに従った無線通信の制御（例えば、再送要求プロセスの実行、無線リソースの割当て、及び／又は無線リソースの割当ての通知など）を行う。
【０２８８】
以上、第３の変形例を説明した。第３の変形例によれば、基地局間でのキャリアアグリゲーションが行われる場合にも、ダウンリンクデータについてのＡＣＫ／ＮＡＣＫが適切に送信され得る。また、第３の変形例によれば、プライマリセルのＵＬ／ＤＬコンフィギュレーションが柔軟に選択され得る。
【０２８９】
＜５．５．第４の変形例＞
次に、図３１を参照して、本開示の実施形態の第４の変形例を説明する。
【０２９０】
（プライマリセル及びセカンダリセル）
（ａ）マクロセル及びスモールセル
第４の変形例では、端末装置２００のプライマリセルは、マクロセルのＣＣであり、端末装置２００のセカンダリセルは、上記マクロセルと重なるスモールセルのＣＣである。
【０２９１】
さらに、上記スモールセルの基地局は、基地局１００であり、上記マクロセルの基地局は、他の基地局である。以下、この点について図３１を参照して具体例を説明する。
【０２９２】
図３１は、第４の変形例におけるマクロセル及びスモールセルの例を説明するための説明図である。図３１を参照すると、基地局１００、基地局１００のセル１０、基地局５０、基地局５０のセル６０及び端末装置２００が示されている。セル６０は、マクロセルであり、基地局５０は、マクロセルの基地局である。また、セル１０は、セル６０（マクロセル）と重なるスモールセルであり、基地局１００は、スモールセルの基地局である。端末装置２００は、セル６０（マクロセル）のＣＣであるプライマリセルで、基地局５０との無線通信を行い、セル１０（スモールセル）のＣＣであるセカンダリセルで、基地局１００との無線通信を行う。
【０２９３】
（ｂ）複信方式
（ｂ−１）セカンダリセル
第４の変形例では、上記セカンダリセルは、基地局１００のセル１０（スモールセル）のＣＣであるので、上記セカンダリセルは、ＦＤＤのＣＣである。
【０２９４】
（ｂ−２）プライマリセル
−第１の例：ＦＤＤ
第１の例として、上記プライマリセルは、ＦＤＤのＣＣである。
【０２９５】
図３０を再び参照すると、例えば、端末装置２００のプライマリセルは、ＦＤＤのアップリンクＣＣ及びダウンリンクＣＣの２つのペアの一方であり、端末装置２００のセカンダリセルは、上記２つのペアの他方である。
【０２９６】
−第２の例：ＴＤＤ
第２の例として、上記プライマリセルは、ＴＤＤのＣＣであってもよい。
【０２９７】
図１７を再び参照すると、例えば、端末装置２００のプライマリセルは、ＴＤＤのＣＣであってもよく、端末装置２００のセカンダリセルは、ＦＤＤのアップリンクＣＣ及びダウンリンクＣＣのペアであってもよい。
【０２９８】
（基地局１００：選択部１５１）
上述したように、選択部１５１は、ＴＤＤのＵＬ／ＤＬコンフィギュレーションを選択する。
【０２９９】
第４の変形例では、上記ＵＬ／ＤＬコンフィギュレーションは、上記セカンダリセルのＵＬ／ＤＬコンフィギュレーションである。即ち、選択部１５１は、端末装置２００のセカンダリセルのＵＬ／ＤＬコンフィギュレーションを選択する。
【０３００】
とりわけ、選択部１５１は、上記プライマリセルのＵＬ／ＤＬコンフィギュレーションに応じて、上記ＵＬ／ＤＬコンフィギュレーション（即ち、上記セカンダリセルのＵＬ／ＤＬコンフィギュレーション）を選択する。即ち、選択部１５１は、上記プライマリセルの上記ＵＬ／ＤＬコンフィギュレーションが、上記セカンダリセルの上記ＵＬ／ＤＬコンフィギュレーションに従って送信されるダウンリンクデータについてのＡＣＫ／ＮＡＣＫが送信されるサブフレームを、アップリンクサブフレームとして定めるように、上記セカンダリセルの上記ＵＬ／ＤＬコンフィギュレーションを選択する。
【０３０１】
一例として、図２８を参照して説明したように、上記プライマリセルの上記ＵＬ／ＤＬコンフィギュレーションが、コンフィギュレーション３である場合に、選択部１５１は、上記セカンダリセルのＵＬ／ＤＬコンフィギュレーションとして、コンフィギュレーション３を選択する。別の例として、図２９を参照して説明したように、上記プライマリセルの上記ＵＬ／ＤＬコンフィギュレーションが、コンフィギュレーション３である場合に、選択部１５１は、上記セカンダリセルのＵＬ／ＤＬコンフィギュレーションとして、コンフィギュレーション２を選択する。
【０３０２】
なお、例えば、基地局１００は、上記プライマリセルの上記ＵＬ／ＤＬコンフィギュレーションを示す情報を、基地局５０から取得する。
【０３０３】
（基地局１００：情報取得部１５３）
上述したように、情報取得部１５３は、ＵＬ／ＤＬコンフィギュレーションを示す情報（即ち、コンフィギュレーション情報）を取得する。
【０３０４】
第４の変形例では、上記ＵＬ／ＤＬコンフィギュレーションは、上記セカンダリセルのＵＬ／ＤＬコンフィギュレーションである。即ち、情報取得部１５３は、端末装置２００のセカンダリセルのＵＬ／ＤＬコンフィギュレーションを示すコンフィギュレーション情報を取得する。
【０３０５】
（基地局１００：制御部１５５）
上述したように、制御部１５５は、上記ＵＬ／ＤＬコンフィギュレーションを端末装置２００に通知する。
【０３０６】
第４の変形例では、上記ＵＬ／ＤＬコンフィギュレーションは、上記セカンダリセルのＵＬ／ＤＬコンフィギュレーションである。即ち、制御部１５５は、端末装置２００の上記セカンダリセルのＵＬ／ＤＬコンフィギュレーションを端末装置２００に通知する。
【０３０７】
なお、例えば、制御部１５５は、上記セカンダリセルについて、上述したように、上記ＵＬ／ＤＬコンフィギュレーションに従った無線通信の制御（例えば、再送要求プロセスの実行、無線リソースの割当て、及び／又は無線リソースの割当ての通知など）を行う。
【０３０８】
以上、第４の変形例を説明した。第４の変形例によれば、基地局間でのキャリアアグリゲーションが行われる場合にも、ダウンリンクデータについてのＡＣＫ／ＮＡＣＫが適切に送信され得る。また、第４の変形例によれば、プライマリセルのＵＬ／ＤＬコンフィギュレーションが柔軟に選択され得る。
【０３０９】
＜５．６．第５の変形例＞
次に、本開示の実施形態の第５の変形例を説明する。
【０３１０】
（プライマリセル及びセカンダリセル）
（ａ）マクロセル及びスモールセル
マクロセル及びスモールセルについての説明は、第４の変形例と第５の変形例との間に差異はない。よって、ここでは重複する記載を省略する。
【０３１１】
（ｂ）複信方式
上記プライマリセル及び上記セカンダリセルの複信方式についての説明は、第４の変形例と第５の変形例との間に差異はない。よって、ここでは重複する記載を省略する。
【０３１２】
（基地局１００：制御部１５５）
第５の変形例では、制御部１５５は、上記ＵＬ／ＤＬコンフィギュレーション（即ち、上記セカンダリセルのＵＬ／ＤＬコンフィギュレーション）に応じた、上記プライマリセルのＵＬ／ＤＬコンフィギュレーションの選択を制御する。
【０３１３】
例えば、基地局５０（マクロセルの基地局）が、上記プライマリセルのＵＬ／ＤＬコンフィギュレーションを選択する。この場合に、制御部１５５は、基地局５０による上記プライマリセルのＵＬ／ＤＬコンフィギュレーションの選択を制御する。具体的には、例えば、制御部１５５は、上記ＵＬ／ＤＬコンフィギュレーション（即ち、上記セカンダリセルのＵＬ／ＤＬコンフィギュレーション）を示すコンフィギュレーション情報を、基地局５０に提供する。その結果、基地局５０は、上記ＵＬ／ＤＬコンフィギュレーションに応じて、上記プライマリセルのＵＬ／ＤＬコンフィギュレーションを選択する。
【０３１４】
一例として、図２８を参照して説明したように、上記ＵＬ／ＤＬコンフィギュレーション（即ち、上記セカンダリセルの上記ＵＬ／ＤＬコンフィギュレーション）が、コンフィギュレーション３である場合に、制御部１５５は、コンフィギュレーション３を示すコンフィギュレーション情報を、基地局５０に提供する。その結果、基地局５０は、上記プライマリセルのＵＬ／ＤＬコンフィギュレーションとして、コンフィギュレーション３を選択する。別の例として、図２９を参照して説明したように、上記ＵＬ／ＤＬコンフィギュレーション（即ち、上記セカンダリセルの上記ＵＬ／ＤＬコンフィギュレーション）が、コンフィギュレーション２である場合に、制御部１５５は、コンフィギュレーション２を示すコンフィギュレーション情報を、基地局５０に提供する。その結果、基地局５０は、上記プライマリセルのＵＬ／ＤＬコンフィギュレーションとして、コンフィギュレーション３を選択する。
【０３１５】
なお、例えば、制御部１５５は、上記セカンダリセルについて、上述したように、ＵＬ／ＤＬコンフィギュレーションの通知、及び／又は、上記ＵＬ／ＤＬコンフィギュレーションに従った無線通信の制御（例えば、再送要求プロセスの実行、無線リソースの割当て、及び／又は無線リソースの割当ての通知など）を行う。
【０３１６】
以上、第５の変形例を説明した。第５の変形例によれば、基地局間でのキャリアアグリゲーションが行われる場合にも、ダウンリンクデータについてのＡＣＫ／ＮＡＣＫが適切に送信され得る。また、第５の変形例によれば、セカンダリセルのＵＬ／ＤＬコンフィギュレーションが柔軟に選択され得る。
【０３１７】
＜＜６．応用例＞＞
本開示に係る技術は、様々な製品へ応用可能である。例えば、基地局１００は、マクロｅＮＢ又はスモールｅＮＢなどのいずれかの種類のｅＮＢ（evolved  Node  B）として実現されてもよい。スモールｅＮＢは、ピコｅＮＢ、マイクロｅＮＢ又はホーム（フェムト）ｅＮＢなどの、マクロセルよりも小さいセルをカバーするｅＮＢであってよい。その代わりに、基地局１００は、ＮｏｄｅＢ又はＢＴＳ（Base  Transceiver  Station）などの他の種類の基地局として実現されてもよい。基地局１００は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、基地局１００として動作してもよい。さらに、基地局１００の少なくとも一部の構成要素は、基地局装置又は基地局装置のためのモジュールにおいて実現されてもよい。
【０３１８】
また、例えば、端末装置２００は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、端末装置２００は、Ｍ２Ｍ（Machine  To  Machine）通信を行う端末（ＭＴＣ（Machine  Type  Communication）端末ともいう）として実現されてもよい。さらに、端末装置２００の少なくとも一部の構成要素は、これら端末に搭載されるモジュール（例えば、１つのダイで構成される集積回路モジュール）において実現されてもよい。
【０３１９】
＜６．１．基地局に関する応用例＞
（第１の応用例）
図３２は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０３２０】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図３２に示したように複数のアンテナ８１０を有し、複数のアンテナ８１０は、例えばｅＮＢ８００が使用する複数の周波数帯域にそれぞれ対応してもよい。なお、図３２にはｅＮＢ８００が複数のアンテナ８１０を有する例を示したが、ｅＮＢ８００は単一のアンテナ８１０を有してもよい。
【０３２１】
基地局装置８２０は、コントローラ８２１、メモリ８２２、ネットワークインタフェース８２３及び無線通信インタフェース８２５を備える。
【０３２２】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０３２３】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０３２４】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０３２５】
無線通信インタフェース８２５は、図３２に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図３２に示したように複数のＲＦ回路８２７を含み、複数のＲＦ回路８２７は、例えば複数のアンテナ素子にそれぞれ対応してもよい。なお、図３２には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０３２６】
図３２に示したｅＮＢ８００において、図１８を参照して説明した処理部１５０に含まれる１つ以上の構成要素（選択部１５１、情報取得部１５３及び／又は制御部１５５）は、無線通信インタフェース８２５において実装されてもよい。あるいは、これらの構成要素の少なくとも一部は、コントローラ８２１において実装されてもよい。一例として、ｅＮＢ８００は、無線通信インタフェース８２５の一部（例えば、ＢＢプロセッサ８２６）若しくは全部、及び／又はコントローラ８２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８００にインストールされ、無線通信インタフェース８２５（例えば、ＢＢプロセッサ８２６）及び／又はコントローラ８２１が当該プログラムを実行してもよい。以上のように、上記１つ以上の構成要素を備える装置としてｅＮＢ８００、基地局装置８２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０３２７】
また、図３２に示したｅＮＢ８００において、図１８を参照して説明した無線通信部１２０は、無線通信インタフェース８２５（例えば、ＲＦ回路８２７）において実装されてもよい。また、アンテナ部１１０は、アンテナ８１０において実装されてもよい。また、ネットワーク通信部１３０は、コントローラ８２１及び／又はネットワークインタフェース８２３において実装されてもよい。
【０３２８】
（第２の応用例）
図３３は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０３２９】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図３３に示したように複数のアンテナ８４０を有し、複数のアンテナ８４０は、例えばｅＮＢ８３０が使用する複数の周波数帯域にそれぞれ対応してもよい。なお、図３３にはｅＮＢ８３０が複数のアンテナ８４０を有する例を示したが、ｅＮＢ８３０は単一のアンテナ８４０を有してもよい。
【０３３０】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図３２を参照して説明したコントローラ８２１、メモリ８２２及びネットワークインタフェース８２３と同様のものである。
【０３３１】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図３２を参照して説明したＢＢプロセッサ８２６と同様のものである。無線通信インタフェース８５５は、図３３に示したように複数のＢＢプロセッサ８５６を含み、複数のＢＢプロセッサ８５６は、例えばｅＮＢ８３０が使用する複数の周波数帯域にそれぞれ対応してもよい。なお、図３３には無線通信インタフェース８５５が複数のＢＢプロセッサ８５６を含む例を示したが、無線通信インタフェース８５５は単一のＢＢプロセッサ８５６を含んでもよい。
【０３３２】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０３３３】
また、ＲＲＨ８６０は、接続インタフェース８６１及び無線通信インタフェース８６３を備える。
【０３３４】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０３３５】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図３３に示したように複数のＲＦ回路８６４を含み、複数のＲＦ回路８６４は、例えば複数のアンテナ素子にそれぞれ対応してもよい。なお、図３３には無線通信インタフェース８６３が複数のＲＦ回路８６４を含む例を示したが、無線通信インタフェース８６３は単一のＲＦ回路８６４を含んでもよい。
【０３３６】
図３３に示したｅＮＢ８３０において、図１８を参照して説明した処理部１５０に含まれる１つ以上の構成要素（選択部１５１、情報取得部１５３及び／又は制御部１５５）は、無線通信インタフェース８５５及び／又は無線通信インタフェース８６３において実装されてもよい。あるいは、これらの構成要素の少なくとも一部は、コントローラ８５１において実装されてもよい。一例として、ｅＮＢ８３０は、無線通信インタフェース８５５の一部（例えば、ＢＢプロセッサ８５６）若しくは全部、及び／又はコントローラ８５１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８３０にインストールされ、無線通信インタフェース８５５（例えば、ＢＢプロセッサ８５６）及び／又はコントローラ８５１が当該プログラムを実行してもよい。以上のように、上記１つ以上の構成要素を備える装置としてｅＮＢ８３０、基地局装置８５０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０３３７】
また、図３３に示したｅＮＢ８３０において、例えば、図１８を参照して説明した無線通信部１２０は、無線通信インタフェース８６３（例えば、ＲＦ回路８６４）において実装されてもよい。また、アンテナ部１１０は、アンテナ８４０において実装されてもよい。また、ネットワーク通信部１３０は、コントローラ８５１及び／又はネットワークインタフェース８５３において実装されてもよい。
【０３３８】
＜６．２．端末装置に関する応用例＞
（第１の応用例）
図３４は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０３３９】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０３４０】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０３４１】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図３４に示したように複数のＢＢプロセッサ９１３及び複数のＲＦ回路９１４を含んでもよい。なお、図３４には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０３４２】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０３４３】
アンテナスイッチ９１５の各々は、無線通信インタフェース９１２に含まれる複数の回路（例えば、異なる無線通信方式のための回路）の間でアンテナ９１６の接続先を切り替える。
【０３４４】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図３４に示したように複数のアンテナ９１６を有してもよい。なお、図３４にはスマートフォン９００が複数のアンテナ９１６を有する例を示したが、スマートフォン９００は単一のアンテナ９１６を有してもよい。
【０３４５】
さらに、スマートフォン９００は、無線通信方式ごとにアンテナ９１６を備えてもよい。その場合に、アンテナスイッチ９１５は、スマートフォン９００の構成から省略されてもよい。
【０３４６】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図３４に示したスマートフォン９００の各ブロックへ電力を供給する。補助コントローラ９１９は、例えば、スリープモードにおいて、スマートフォン９００の必要最低限の機能を動作させる。
【０３４７】
図３４に示したスマートフォン９００において、図２３を参照して説明した処理部２４０に含まれる１つ以上の構成要素（情報取得部２４１及び制御部２４３）は、無線通信インタフェース９１２において実装されてもよい。あるいは、これらの構成要素の少なくとも一部は、プロセッサ９０１又は補助コントローラ９１９において実装されてもよい。一例として、スマートフォン９００は、無線通信インタフェース９１２の一部（例えば、ＢＢプロセッサ９１３）若しくは全部、プロセッサ９０１、及び／又は補助コントローラ９１９を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがスマートフォン９００にインストールされ、無線通信インタフェース９１２（例えば、ＢＢプロセッサ９１３）、プロセッサ９０１、及び／又は補助コントローラ９１９が当該プログラムを実行してもよい。以上のように、上記１つ以上の構成要素を備える装置としてスマートフォン９００又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０３４８】
また、図３４に示したスマートフォン９００において、例えば、図２３を参照して説明した無線通信部２２０は、無線通信インタフェース９１２（例えば、ＲＦ回路９１４）において実装されてもよい。また、アンテナ部２１０は、アンテナ９１６において実装されてもよい。
【０３４９】
（第２の応用例）
図３５は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０３５０】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０３５１】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０３５２】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０３５３】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図３５に示したように複数のＢＢプロセッサ９３４及び複数のＲＦ回路９３５を含んでもよい。なお、図３５には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０３５４】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０３５５】
アンテナスイッチ９３６の各々は、無線通信インタフェース９３３に含まれる複数の回路（例えば、異なる無線通信方式のための回路）の間でアンテナ９３７の接続先を切り替える。
【０３５６】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図３５に示したように複数のアンテナ９３７を有してもよい。なお、図３５にはカーナビゲーション装置９２０が複数のアンテナ９３７を有する例を示したが、カーナビゲーション装置９２０は単一のアンテナ９３７を有してもよい。
【０３５７】
さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０３５８】
バッテリー９３８は、図中に破線で部分的に示した給電ラインを介して、図３５に示したカーナビゲーション装置９２０の各ブロックへ電力を供給する。また、バッテリー９３８は、車両側から給電される電力を蓄積する。
【０３５９】
図３５に示したカーナビゲーション装置９２０において、図２３を参照して説明した処理部２４０に含まれる１つ以上の構成要素（情報取得部２４１及び制御部２４３）は、無線通信インタフェース９３３において実装されてもよい。あるいは、これらの構成要素の少なくとも一部は、プロセッサ９２１において実装されてもよい。一例として、カーナビゲーション装置９２０は、無線通信インタフェース９３３の一部（例えば、ＢＢプロセッサ９３４）若しくは全部及び／又はプロセッサ９２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがカーナビゲーション装置９２０にインストールされ、無線通信インタフェース９３３（例えば、ＢＢプロセッサ９３４）及び／又はプロセッサ９２１が当該プログラムを実行してもよい。以上のように、上記１つ以上の構成要素を備える装置としてカーナビゲーション装置９２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０３６０】
また、図３５に示したカーナビゲーション装置９２０において、例えば、図２３を参照して説明した無線通信部２２０は、無線通信インタフェース９３３（例えば、ＲＦ回路９３５）において実装されてもよい。また、アンテナ部２１０は、アンテナ９３７において実装されてもよい。
【０３６１】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。即ち、処理部２４０に含まれる上記１つ以上の構成要素を備える装置として車載システム（又は車両）９４０が提供されてもよい。車両側モジュール９４２は、車速、エンジン回転数又は故障情報などの車両側データを生成し、生成したデータを車載ネットワーク９４１へ出力する。
【０３６２】
＜＜７．まとめ＞＞
ここまで、図１〜図３５を参照して、本開示の実施形態に係る装置及び処理などを説明した。
【０３６３】
本開示に係る実施形態によれば、基地局１００は、ＴＤＤのＵＬ／ＤＬコンフィギュレーションを示す情報を取得する情報取得部１５３と、上記ＵＬ／ＤＬコンフィギュレーションを端末装置２００に通知する制御部１５５と、を備える。制御部１５５は、上記ＵＬ／ＤＬコンフィギュレーションに従って、端末装置２００とのＨＤ−ＦＤＤでの無線通信を制御する。
【０３６４】
本開示に係る実施形態によれば、端末装置２００は、基地局１００が端末装置２００に通知するＴＤＤのＵＬ／ＤＬコンフィギュレーションを示す情報を取得する情報取得部２４１と、上記ＵＬ／ＤＬコンフィギュレーションに従って、端末装置２００による基地局１００とのＨＤ−ＦＤＤでの無線通信を制御する制御部２４３と、を備える。
【０３６５】
これにより、例えば、端末装置２００がより容易にＦＤＤのセルでの無線通信を行うことが可能になる。より具体的には、例えば、ＴＤＤのＵＬ／ＤＬコンフィギュレーションに従ったＨＤ−ＦＤＤ動作は、ＴＤＤ動作と多くの部分で重複する。そのため、端末装置２００の処理が複雑になることが回避され得る。
【０３６６】
また、これにより、例えば、端末装置２００に無線リソースをより柔軟に割り当てることが可能になる。より具体的には、例えば、基地局１００は、ＵＬ／ＤＬコンフィギュレーションを柔軟に選択し、当該ＵＬ／ＤＬコンフィギュレーションを端末装置２００と共有することができる。そのため、柔軟に選択されたＵＬ／ＤＬコンフィギュレーションに従って無線リソースが端末装置２００に割り当てられる。即ち、無線リソースが端末装置２００に柔軟に割当てられ得る。
【０３６７】
以上、添付図面を参照しながら本開示の好適な実施形態を説明したが、本開示は係る例に限定されないことは言うまでもない。当業者であれば、特許請求の範囲に記載された範疇内において、各種の変更例又は修正例に想到し得ることは明らかであり、それらについても当然に本開示の技術的範囲に属するものと了解される。
【０３６８】
例えば、ＴＤＤのＵＬ／ＤＬコンフィギュレーションを端末装置に通知する基地局が、当該ＵＬ／ＤＬコンフィギュレーションを選択する例を説明したが、本開示は係る例に限定されない。例えば、上記ＵＬ／ＤＬコンフィギュレーションは、他の装置（例えば、コアネットワークノード又は他の基地局など）によって選択されてもよい。
【０３６９】
また、例えば、通信システムがＬＴＥ、ＬＴＥ−Ａｄｖａｎｃｅｄ、又はこれらに準ずる通信規格に準拠したシステムである例を説明したが、本開示は係る例に限定されない。例えば、通信システムは、他の通信規格に準拠したシステムであってもよい。
【０３７０】
また、本明細書の処理における処理ステップは、必ずしもフローチャート又はシーケンス図に記載された順序に沿って時系列に実行されなくてよい。例えば、処理における処理ステップは、フローチャート又はシーケンス図として記載した順序と異なる順序で実行されても、並列的に実行されてもよい。
【０３７１】
また、本明細書の装置（例えば、基地局、基地局装置、若しくは基地局装置のためのモジュール、又は、端末装置若しくは端末装置のためのモジュール）に備えられるプロセッサ（例えば、ＣＰＵ、ＤＳＰなど）を上記装置の構成要素（例えば、情報取得部及び制御部など）として機能させるためのコンピュータプログラム（換言すると、上記プロセッサに上記装置の構成要素の動作を実行させるためのコンピュータプログラム）も作成可能である。また、当該コンピュータプログラムを記録した記録媒体も提供されてもよい。また、上記コンピュータプログラムを記憶するメモリと、上記コンピュータプログラムを実行可能な１つ以上のプロセッサとを備える装置（例えば、完成品、又は完成品のためのモジュール（部品、処理回路若しくはチップなど））も提供されてもよい。また、上記装置の構成要素（例えば、情報取得部及び制御部など）の動作を含む方法も、本開示に係る技術に含まれる。
【０３７２】
また、本明細書に記載された効果は、あくまで説明的又は例示的なものであって限定的ではない。つまり、本開示に係る技術は、上記効果とともに、又は上記効果に代えて、本明細書の記載から当業者には明らかな他の効果を奏しうる。
【０３７３】
なお、以下のような構成も本開示の技術的範囲に属する。
（１）
ＴＤＤ（Time  Division  Duplex）のアップリンク／ダウンリンクコンフィギュレーションを示す情報を取得する取得部と、
前記アップリンク／ダウンリンクコンフィギュレーションを端末装置に通知する制御部と、
を備え、
前記制御部は、前記アップリンク／ダウンリンクコンフィギュレーションに従って、前記端末装置とのＨＤ−ＦＤＤ（Half  Duplex  Frequency  Division  Duplex）での無線通信を制御する、
装置。
（２）
前記アップリンク／ダウンリンクコンフィギュレーションは、前記端末装置のために個別に選択されたアップリンク／ダウンリンクコンフィギュレーションである、前記（１）に記載の装置。
（３）
前記制御部は、前記端末装置への個別のシグナリングにより、前記アップリンク／ダウンリンクコンフィギュレーションを前記端末装置に通知する、前記（１）又は（２）に記載の装置。
（４）
前記制御部は、前記アップリンク／ダウンリンクコンフィギュレーションを示すシステム情報の報知により、前記アップリンク／ダウンリンクコンフィギュレーションを前記端末装置に通知する、前記（１）〜（３）のいずれか１項に記載の装置。
（５）
前記制御部は、前記アップリンク／ダウンリンクコンフィギュレーションの１つのアップリンクサブフレーム及び１つのダウンサブフレームの間に各々位置する２つ以上の特定のサブフレームの無線リソースを、前記端末装置に割り当てず、前記２つ以上の特定のサブフレームと異なる他のサブフレームの無線リソースを、前記端末装置に割り当てる、前記（１）〜（４）のいずれか１項に記載の装置。
（６）
前記他のサブフレームは、前記アップリンク／ダウンリンクコンフィギュレーションのアップリンクサブフレーム又はダウンリンクサブフレームを含み、
前記他のサブフレームの前記無線リソースは、アップリンク帯域の無線リソースのうちの、前記アップリンク／ダウンリンクコンフィギュレーションのアップリンクサブフレームの無線リソース、又は、ダウンリンク帯域の無線リソースのうちの、前記アップリンク／ダウンリンクコンフィギュレーションのダウンリンクサブフレームの無線リソースを含む、
前記（５）に記載の装置。
（７）
前記２つ以上の特定のサブフレームは、１つ以上のスペシャルサブフレームと、１つのアップリンクサブフレームの直後且つ１つのダウンリンクサブフレームの直前に各々位置する１つ以上のサブフレームとを含む、前記（５）又は（６）に記載の装置。
（８）
前記制御部は、前記アップリンク／ダウンリンクコンフィギュレーションに従って前記端末装置により送信されるアップリンクデータについてのＡＣＫ（Acknowledgement）／ＮＡＣＫ（Negative  Acknowledgement）が、前記アップリンク／ダウンリンクコンフィギュレーションのダウンリンクサブフレームで前記端末装置へ送信されるように、再送要求のプロセスを実行する、前記（１）〜（７）のいずれか１項に記載の装置。
（９）
前記制御部は、前記アップリンクデータについての前記ＡＣＫ／ＮＡＣＫが、前記アップリンク／ダウンリンクコンフィギュレーションのために予め定められたＡＣＫ／ＮＡＣＫ送信用のダウンリンクサブフレームで前記端末装置へ送信されるように、前記再送要求のプロセスを実行する、前記（８）に記載の装置。
（１０）
前記アップリンク／ダウンリンクコンフィギュレーションは、複数のアップリンク／ダウンリンクコンフィギュレーションの中から選択されたアップリンク／ダウンリンクコンフィギュレーションであり、
前記制御部は、前記アップリンクデータについての前記ＡＣＫ／ＮＡＣＫが、前記複数のアップリンク／ダウンリンクコンフィギュレーションの間で共通するダウンリンクサブフレームで前記端末装置へ送信されるように、前記再送要求のプロセスを実行する、
前記（８）に記載の装置。
（１１）
前記制御部は、前記アップリンク／ダウンリンクコンフィギュレーションのアップリンクサブフレームの無線リソースの前記端末装置への割当てを、前記アップリンク／ダウンリンクコンフィギュレーションのために予め定められたダウンリンクサブフレームで、前記端末装置に通知する、前記（１）〜（１０）のいずれか１項に記載の装置。
（１２）
前記端末装置は、ＴＤＤのアップリンク／ダウンリンクコンフィギュレーションに従ってＨＤ−ＦＤＤでの無線通信を行うケイパビリティを有する装置である、前記（１）〜（１１）のいずれか１項に記載の装置。
（１３）
前記端末装置は、キャリアアグリゲーションをサポートし、
前記アップリンク／ダウンリンクコンフィギュレーションは、前記端末装置のプライマリセルのアップリンク／ダウンリンクコンフィギュレーション、及び前記端末装置のセカンダリセルのアップリンク／ダウンリンクコンフィギュレーションうちの、少なくとも一方を含み、
前記プライマリセルのアップリンク／ダウンリンクコンフィギュレーションは、前記セカンダリセルの前記アップリンク／ダウンリンクコンフィギュレーションに従って送信されるダウンリンクデータについてのＡＣＫ／ＮＡＣＫが送信されるサブフレームを、アップリンクサブフレームとして定める、
前記（１）〜（１２）のいずれか１項に記載の装置。
（１４）
前記プライマリセルの前記アップリンク／ダウンリンクコンフィギュレーションは、前記セカンダリセルの前記アップリンク／ダウンリンクコンフィギュレーションがアップリンクサブフレームとして定める全てのサブフレームを、アップリンクサブフレームとして定める、前記（１３）に記載の装置。
（１５）
前記プライマリセルの前記アップリンク／ダウンリンクコンフィギュレーションは、前記セカンダリセルの前記アップリンク／ダウンリンクコンフィギュレーションと同一である、前記（１３）又は（１４）に記載の装置。
（１６）
前記ＡＣＫ／ＮＡＣＫが送信される前記サブフレームは、前記セカンダリセルの前記アップリンク／ダウンリンクコンフィギュレーションのために予め定められている、前記（１３）〜（１５）のいずれか１項に記載の装置。
（１７）
前記プライマリセル及び前記セカンダリセルは、同一の基地局のコンポーネントキャリアであり、
前記アップリンク／ダウンリンクコンフィギュレーションは、前記プライマリセルの前記アップリンク／ダウンリンクコンフィギュレーション、及び前記セカンダリセルの前記アップリンク／ダウンリンクコンフィギュレーションを含む、
前記（１３）〜（１６）のいずれか１項に記載の装置。
（１８）
前記プライマリセルは、マクロセルのコンポーネントキャリアであり、
前記セカンダリセルは、前記マクロセルと重なるスモールセルのコンポーネントキャリアであり、
前記アップリンク／ダウンリンクコンフィギュレーションは、前記プライマリセル及び前記セカンダリセルの一方のアップリンク／ダウンリンクコンフィギュレーションである、
前記（１３）〜（１６）のいずれか１項に記載の装置。
（１９）
前記プライマリセル及び前記セカンダリセルの他方は、ＴＤＤのコンポーネントキャリアである、前記（１８）に記載の装置。
（２０）
前記プライマリセル及び前記セカンダリセルの他方は、ＦＤＤのコンポーネントキャリアである、前記（１８）に記載の装置。
（２１）
前記アップリンク／ダウンリンクコンフィギュレーションは、前記プライマリセル及び前記セカンダリセルの他方のアップリンク／ダウンリンクコンフィギュレーションに応じて選択されるアップリンク／ダウンリンクコンフィギュレーションである、前記（１８）〜（２０）のいずれか１項に記載の装置。
（２２）
前記制御部は、前記アップリンク／ダウンリンクコンフィギュレーションに応じた、前記プライマリセル及び前記セカンダリセルの他方のアップリンク／ダウンリンクコンフィギュレーションの選択を制御する、前記（１８）〜（２０）のいずれか１項に記載の装置。
（２３）
基地局が端末装置に通知するＴＤＤのアップリンク／ダウンリンクコンフィギュレーションを示す情報を取得する取得部と、
前記アップリンク／ダウンリンクコンフィギュレーションに従って、前記端末装置による前記基地局とのＨＤ−ＦＤＤでの無線通信を制御する制御部と、
を備える装置。
（２４）
前記制御部は、前記アップリンク／ダウンリンクコンフィギュレーションの１つのアップリンクサブフレーム及び１つのダウンサブフレームの間に各々位置する２つ以上の特定のサブフレームで、前記端末装置によるダウンリンク受信とアップリンク送信との切替えを行う、前記（２３）に記載の装置。
（２５）
前記制御部は、前記２つ以上の特定のサブフレームとは異なる、前記アップリンク／ダウンリンクコンフィギュレーションのダウンリンクサブフレームで、前記端末装置がダウンリンク帯域でのダウンリンク受信を行うように、前記端末装置による前記無線通信を制御する、前記（２４）に記載の装置。
（２６）
前記制御部は、前記２つ以上の特定のサブフレームとは異なる、前記アップリンク／ダウンリンクコンフィギュレーションのアップリンクサブフレームで、前記端末装置がアップリンク帯域でのアップリンク送信を行うように、前記端末装置による前記無線通信を制御する、前記（２４）又は（２５）に記載の装置。
（２７）
前記制御部は、前記端末装置が、ＴＤＤのアップリンク／ダウンリンクコンフィギュレーションに従ってＨＤ−ＦＤＤでの無線通信を行うケイパビリティを有する装置であることを、前記基地局に通知する、前記（２３）〜（２６）のいずれか１項に記載の装置。
（２８）
前記制御部は、前記アップリンク／ダウンリンクコンフィギュレーションに従って前記基地局により送信されるダウンリンクデータについてのＡＣＫ／ＮＡＣＫが、前記アップリンク／ダウンリンクコンフィギュレーションのアップリンクサブフレームで前記基地局へ送信されるように、再送要求のプロセスを実行する、前記（２３）〜（２７）のいずれか１項に記載の装置。
（２９）
前記端末装置は、ＴＤＤをサポートする端末装置である、前記（１）〜（２８）のいずれか１項に記載の装置。
（３０）
前記装置は、基地局、基地局のための基地局装置、又は当該基地局装置のためのモジュールである、前記（１）〜（２２）のいずれか１項に記載の装置。
（３１）
ＴＤＤのアップリンク／ダウンリンクコンフィギュレーションを示す情報を取得することと、
プロセッサにより、前記アップリンク／ダウンリンクコンフィギュレーションを端末装置に通知することと、
プロセッサにより、前記アップリンク／ダウンリンクコンフィギュレーションに従って、前記端末装置とのＨＤ−ＦＤＤでの無線通信を制御することと、
を含む方法。
（３２）
ＴＤＤのアップリンク／ダウンリンクコンフィギュレーションを示す情報を取得することと、
前記アップリンク／ダウンリンクコンフィギュレーションを端末装置に通知することと、
前記アップリンク／ダウンリンクコンフィギュレーションに従って、前記端末装置とのＨＤ−ＦＤＤでの無線通信を制御することと、
をプロセッサに実行させるためのプログラム。
（３３）
ＴＤＤのアップリンク／ダウンリンクコンフィギュレーションを示す情報を取得することと、
前記アップリンク／ダウンリンクコンフィギュレーションを端末装置に通知することと、
前記アップリンク／ダウンリンクコンフィギュレーションに従って、前記端末装置とのＨＤ−ＦＤＤでの無線通信を制御することと、
をプロセッサに実行させるためのプログラムを記録した読み取り可能な記録媒体。
（３４）
前記装置は、前記端末装置、又は前記端末装置のためのモジュールである、前記（２３）〜（２８）のいずれか１項に記載の装置。
（３５）
基地局が端末装置に通知するＴＤＤのアップリンク／ダウンリンクコンフィギュレーションを示す情報を取得することと、
プロセッサにより、前記アップリンク／ダウンリンクコンフィギュレーションに従って、前記端末装置による前記基地局とのＨＤ−ＦＤＤでの無線通信を制御することと、
を含む方法。
（３６）
基地局が端末装置に通知するＴＤＤのアップリンク／ダウンリンクコンフィギュレーションを示す情報を取得することと、
前記アップリンク／ダウンリンクコンフィギュレーションに従って、前記端末装置による前記基地局とのＨＤ−ＦＤＤでの無線通信を制御することと、
をプロセッサに実行させるためのプログラム。
（３７）
基地局が端末装置に通知するＴＤＤのアップリンク／ダウンリンクコンフィギュレーションを示す情報を取得することと、
前記アップリンク／ダウンリンクコンフィギュレーションに従って、前記端末装置による前記基地局とのＨＤ−ＦＤＤでの無線通信を制御することと、
をプロセッサに実行させるためのプログラムを記録した読み取り可能な記録媒体。
【符号の説明】
【０３７４】
１        通信システム
１０      セル
１００    基地局
１５１    選択部
１５３    情報取得部
１５５    制御部
２００    基地局
２４１    情報取得部
２４３    制御部
【図１】
2016025512.tif 000004
【図２】
2016025512.tif 000005
【図３】
2016025512.tif 000006
【図４】
2016025512.tif 000007
【図５】
2016025512.tif 000008
【図６】
2016025512.tif 000009
【図７】
2016025512.tif 000010
【図８】
2016025512.tif 000011
【図９】
2016025512.tif 000012
【図１０】
2016025512.tif 000013
【図１１】
2016025512.tif 000014
【図１２】
2016025512.tif 000015
【図１３】
2016025512.tif 000016
【図１４】
2016025512.tif 000017
【図１５】
2016025512.tif 000018
【図１６】
2016025512.tif 000019
【図１７】
2016025512.tif 000020
【図１８】
2016025512.tif 000021
【図１９】
2016025512.tif 000022
【図２０】
2016025512.tif 000023
【図２１】
2016025512.tif 000024
【図２２】
2016025512.tif 000025
【図２３】
2016025512.tif 000026
【図２４】
2016025512.tif 000027
【図２５】
2016025512.tif 000028
【図２６】
2016025512.tif 000029
【図２７】
2016025512.tif 000030
【図２８】
2016025512.tif 000031
【図２９】
2016025512.tif 000032
【図３０】
2016025512.tif 000033
【図３１】
2016025512.tif 000034
【図３２】
2016025512.tif 000035
【図３３】
2016025512.tif 000036
【図３４】
2016025512.tif 000037
【図３５】
2016025512.tif 000038